(57)【特許請求の範囲】
【請求項１】
複数の第１コンテンツデータを放送用下り専用回線を用いて同時に放送する放送局であって、
上記複数の第１コンテンツデータの中から、一部の第１コンテンツデータを選択する選択手段と、
上記選択手段が選択した第１コンテンツデータの各々と同じコンテンツを示す第２コンテンツデータを取得または生成する第２コンテンツデータ取得／生成手段と、
上記第２コンテンツデータ取得／生成手段が取得または生成した各第２コンテンツデータを、上記第１コンテンツデータよりも誤り耐性の強い伝送モードで、上記放送用下り回線において予め定められた特定帯域を共用して放送する送信制御手段とを備える放送局。
【請求項２】
受信装置から、当該受信装置において再生指示が設定されている第１コンテンツデータを特定するための指定コンテンツ情報を取得する指定コンテンツ情報取得手段を備え、
上記選択手段は、指定コンテンツ情報取得手段が取得した指定コンテンツ情報を集計し、その集計結果に基づいて、上記複数の第１コンテンツデータの中から、一部の第１コンテンツデータを選択する請求項１に記載の放送局。
【請求項３】
上記指定コンテンツ情報取得手段は、上記受信装置から、上記指定コンテンツ情報とともに、当該受信装置の位置を示す位置情報を取得し、
上記選択手段は、上記指定コンテンツ情報取得手段が取得した位置情報に基づいて、放送地域ごとに、上記複数の第１コンテンツデータの中から、一部の第１コンテンツデータを選択する請求項２に記載の放送局。
【請求項４】
上記指定コンテンツ情報取得手段は、上記受信装置から、上記指定コンテンツ情報とともに、当該受信装置の位置を示す位置情報を取得し、
上記選択手段は、上記指定コンテンツ情報取得手段が取得した位置情報に基づいて、所定地域に属する受信装置から取得した指定コンテンツ情報を特定し、特定した指定コンテンツ情報を集計する請求項２に記載の放送局。
【請求項５】
上記指定コンテンツ情報取得手段は、上記受信装置から、上記指定コンテンツ情報とともに、当該受信装置の受信状態を示す特徴量を取得し、
上記選択手段は、所定値以下の上記特徴量に対応する指定コンテンツ情報を集計する請求項２に記載の放送局。
【請求項６】
上記第２コンテンツデータ取得／生成手段は、第１コンテンツデータの解像度およびフレームレートのうち少なくとも１つを低くした第２コンテンツデータを生成する請求項１に記載の放送局。
【請求項７】
放送局から同時に放送される複数の第１コンテンツデータを放送用下り専用回線を用いて受信する受信装置に対して、データ配信を行う基地局制御装置であって、
上記複数の第１コンテンツデータの中から、一部の第１コンテンツデータを選択する選択手段と、
上記選択手段が選択した第１コンテンツデータと同じコンテンツを示す第２コンテンツデータを取得または生成する第２コンテンツデータ取得／生成手段と、
第２コンテンツデータ取得／生成手段が取得または生成した第２コンテンツデータを、上記放送用下り専用回線と異なる回線を用いて、上記受信装置にマルチキャスト配信する配信手段とを備える基地局制御装置。
【請求項８】
上記受信装置において再生指示が設定されている第１コンテンツデータを特定するための指定コンテンツ情報を取得する指定コンテンツ情報取得手段を備え、
上記選択手段は、上記指定コンテンツ情報取得手段が取得した指定コンテンツ情報を集計し、その集計結果に基づいて、上記複数の第１コンテンツデータの中から、一部の第１コンテンツデータを選択する請求項７に記載の基地局制御装置。
【請求項９】
上記指定コンテンツ情報取得手段は、上記受信装置から、上記指定コンテンツ情報とともに、当該受信装置の位置を示す位置情報を取得し、
上記選択手段は、上記指定コンテンツ情報取得手段が取得した位置情報に基づいて、配信地域ごとに、上記複数の第１コンテンツデータの中から、一部の第１コンテンツデータを選択する請求項８に記載の基地局制御装置。
【請求項１０】
上記指定コンテンツ情報取得手段は、上記受信装置から、上記指定コンテンツ情報とともに、当該受信装置の位置を示す位置情報を取得し、
上記選択手段は、上記指定コンテンツ情報取得手段が取得した位置情報に基づいて、所定地域に属する受信装置から取得した指定コンテンツ情報を特定し、特定した指定コンテンツ情報を集計する請求項８に記載の基地局制御装置。
【請求項１１】
上記指定コンテンツ情報取得手段は、上記受信装置から、上記指定コンテンツ情報とともに、当該受信装置の受信状態を示す特徴量を取得し、
上記選択手段は、所定値以下の特徴量に対応する指定コンテンツ情報を集計する請求項８に記載の基地局制御装置。
【請求項１２】
上記第２コンテンツデータ取得／生成手段は、第１コンテンツデータの解像度およびフレームレートのうち少なくとも１つを低くした第２コンテンツデータを生成する請求項７に記載の基地局制御装置。
【請求項１４】
複数の第１コンテンツデータと、上記複数の第１コンテンツデータのうちの一部の第１コンテンツデータについて、当該第１コンテンツデータと同じコンテンツを示し、当該第１コンテンツデータよりも誤り耐性の強い伝送モードの第２コンテンツデータとを放送用下り専用回線を用いて同時に放送局から受信することが可能な受信装置であって、
上記複数の第１コンテンツデータのうちの１つを指定するコンテンツ指定手段と、
上記コンテンツ指定手段により指定された第１コンテンツデータまたは当該第１コンテンツデータに対応する第２コンテンツデータを再生する再生手段と、
上記コンテンツ指定手段により指定された第１のコンテンツデータを上記再生手段が再生しているときに、当該第１のコンテンツデータを特定するための指定コンテンツ情報を放送局に送信する送信手段とを備えることを特徴とする受信装置。
【請求項１６】
複数の第１コンテンツデータを放送用下り専用回線を用いて受信する第１受信手段と、
上記複数の第１コンテンツデータのうちの一部の第１コンテンツデータについて、当該第１コンテンツデータと同じコンテンツを示す第２コンテンツデータがマルチキャスト配信されており、上記放送用下り専用回線と異なる回線を用いて当該第２コンテンツデータを基地局制御装置から受信する第２受信手段とを備えた受信装置であって、
上記複数の第１コンテンツデータのうちの１つを指定するコンテンツ指定手段と、
上記コンテンツ指定手段により指定された第１コンテンツデータまたは当該第１コンテンツデータに対応する第２コンテンツデータを再生する再生手段と、
上記コンテンツ指定手段により指定された第１のコンテンツデータを上記再生手段が再生しているときに、当該第１のコンテンツデータを特定するための指定コンテンツ情報を基地局制御装置に送信する送信手段とを備えることを特徴とする受信装置。
【請求項１７】
現在の位置を示す位置情報を取得する位置情報取得手段と、
上記位置情報取得手段が取得した位置情報に基づいて、所定地域に属するか否かを示す地域情報を取得する地域情報取得手段とを備え、
上記送信手段は、上記地域情報取得手段が取得した地域情報が所定地域に属することを示す場合に、上記指定コンテンツ情報を送信する請求項１４または１６に記載の受信装置。
【請求項１８】
上記第１コンテンツデータの受信状態に対応する特徴量を測定する受信品質測定手段を備え、
上記送信手段は、上記受信品質測定手段が測定した特徴量が所定値以下の場合に、上記指定コンテンツ情報を送信する請求項１４または１６に記載の受信装置。
【請求項２２】
複数の第１コンテンツデータを放送用下り回線を用いて同時に放送する放送局と、上記第１コンテンツデータを受信する受信装置とを備える放送システムであって、
上記放送局は、
上記複数の第１コンテンツデータの中から、一部の第１コンテンツデータを選択する選択手段と、
上記選択手段が選択した第１コンテンツデータの各々と同じコンテンツを示す第２コンテンツデータを取得または生成する第２コンテンツデータ取得／生成手段と、
上記第２コンテンツデータ取得／生成手段が取得または生成した各第２コンテンツデータを、上記第１コンテンツデータよりも誤り耐性の強い伝送モードで、上記放送用下り回線において予め定められた特定帯域を共用して放送する送信制御手段とを備え、
上記受信装置は、
上記複数の第１コンテンツデータのうちの１つを指定するコンテンツ指定手段と、
上記コンテンツ指定手段により指定された第１コンテンツデータまたは当該第１コンテンツデータに対応する第２コンテンツデータを再生する再生手段と、
上記コンテンツ指定手段により指定された第１のコンテンツデータを上記再生手段が再生しているときに、当該第１のコンテンツデータを特定するための指定コンテンツ情報を上記放送局に送信する送信手段とを備え、
上記放送局の選択手段は、上記受信装置から送信された指定コンテンツ情報を集計し、その集計結果に基づいて、上記複数の第１コンテンツデータの中から、一部の第１コンテンツデータを選択することを特徴とする放送システム。
【請求項２３】
複数の第１コンテンツデータを放送用下り回線を用いて同時に放送する放送局と、上記第１コンテンツデータを受信する受信装置と、上記受信装置に対してデータ配信を行う基地局制御装置とを備える放送システムであって、
上記基地局制御装置は、
上記複数の第１コンテンツデータの中から、一部の第１コンテンツデータを選択する選択手段と、
上記選択手段が選択した第１コンテンツデータと同じコンテンツを示す第２コンテンツデータを取得または生成する第２コンテンツデータ取得／生成手段と、
第２コンテンツデータ取得／生成手段が取得または生成した第２コンテンツデータを、上記放送用下り専用回線と異なる回線を用いて、上記受信装置にマルチキャスト配信する配信手段とを備え、
上記受信装置は、
上記複数の第１コンテンツデータのうちの１つを指定するコンテンツ指定手段と、
上記コンテンツ指定手段により指定された第１コンテンツデータまたは当該第１コンテンツデータに対応する第２コンテンツデータを再生する再生手段と、
上記コンテンツ指定手段により指定された第１のコンテンツデータを上記再生手段が再生しているときに、当該第１のコンテンツデータを特定するための指定コンテンツ情報を上記基地局制御装置に送信する送信手段とを備え、
上記基地局制御装置の選択手段は、上記受信装置から送信された指定コンテンツ情報を集計し、その集計結果に基づいて、上記複数の第１コンテンツデータの中から、一部の第１コンテンツデータを選択することを特徴とする放送システム。
【請求項２５】
複数の第１コンテンツデータを放送用下り回線を用いて同時に放送する放送局と、上記第１コンテンツデータを受信する受信装置とを備える放送システムであって、
上記放送局は、
上記複数の第１コンテンツデータの中から、一部の第１コンテンツデータを選択する選択手段と、
上記選択手段が選択した第１コンテンツデータの各々と同じコンテンツを示す第２コンテンツデータを取得または生成する第２コンテンツデータ取得／生成手段と、
上記第２コンテンツデータ取得／生成手段が取得または生成した各第２コンテンツデータを、上記第１コンテンツデータよりも誤り耐性の強い伝送モードで、上記放送用下り回線において予め定められた特定帯域を共用して放送する送信制御手段とを備え、
上記受信装置は、
上記第１コンテンツデータ、および、上記第２コンテンツデータを上記放送局から受信する受信手段と、
上記複数の第１コンテンツデータのうち１つを指定するコンテンツ指定手段と、
上記受信手段における受信状態に対応する特徴量を測定する受信品質測定手段と、
上記受信品質測定手段が測定した特徴量と予め定められた閾値との比較に基づいて、
受信品質の良否を判定する受信品質判定手段と、
上記第１コンテンツデータまたは第２コンテンツデータを再生する再生手段と、
上記受信品質判定手段において受信品質が良であると判定された場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツデータに対応する第２コンテンツデータを上記受信手段が受信していない場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツに対応する第２コンテンツデータを上記受信手段が受信している場合、上記コンテンツ指定手段が指定した第１コンテンツデータに対応する第２コンテンツデータを上記再生手段に再生させる再生コンテンツ切替手段とを備える放送システム。
【請求項２７】
複数の第１コンテンツデータを放送用下り回線を用いて同時に放送する放送局と、上記第１コンテンツデータを受信する受信装置と、上記受信装置に対してデータ配信を行う基地局制御装置とを備える放送システムであって、
上記基地局制御装置は、
上記複数の第１コンテンツデータの中から、一部の第１コンテンツデータを選択する選択手段と、
上記選択手段が選択した第１コンテンツデータと同じコンテンツを示す第２コンテンツデータを取得または生成する第２コンテンツデータ取得／生成手段と、
第２コンテンツデータ取得／生成手段が取得または生成した第２コンテンツデータを、上記放送用下り専用回線と異なる回線を用いて、上記受信装置にマルチキャスト配信する配信手段とを備え、
上記受信装置は、
上記第１コンテンツデータを上記放送局から受信する第１受信手段と、
上記第２コンテンツデータを上記基地局制御装置から受信する第２受信手段と、
上記複数の第１コンテンツデータのうち１つを指定するコンテンツ指定手段と、
上記第１受信手段における受信状態に対応する特徴量を測定する受信品質測定手段と、
上記受信品質測定手段が測定した特徴量と予め定められた閾値との比較に基づいて、受信品質の良否を判定する受信品質判定手段と、
上記第１コンテンツデータまたは第２コンテンツデータを再生する再生手段と、
上記受信品質判定手段において受信品質が良であると判定された場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツデータに対応する第２コンテンツデータを上記第２受信手段が受信していない場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツに対応する第２コンテンツデータを上記第２受信手段が受信している場合、上記コンテンツ指定手段が指定した第１コンテンツデータに対応する第２コンテンツデータを上記再生手段に再生させる再生コンテンツ切替手段とを備える放送システム。
【請求項２８】
複数の第１コンテンツデータを放送用下り専用回線を用いて同時に放送する放送局における制御方法であって、
上記放送局が、選択手段と、第２コンテンツデータ取得／生成手段と、送信制御手段とを備え、
上記選択手段が、上記複数の第１コンテンツデータの中から、一部の第１コンテンツデータを選択する選択ステップと、
上記第２コンテンツデータ取得／生成手段が、上記選択手段が選択した第１コンテンツデータと同じコンテンツを示す第２コンテンツデータを取得または生成する第２コンテンツデータ取得／生成ステップと、
上記送信制御手段が、上記第２コンテンツデータ取得／生成手段が取得または生成した第２コンテンツデータを、上記第１コンテンツデータよりも誤り耐性の強い伝送モードで、上記放送用下り回線の予め定められた特定帯域を用いて放送する送信ステップとを含む制御方法。
【請求項２９】
放送局から同時に放送される複数の第１コンテンツデータを放送用下り専用回線を用いて受信する受信装置に対して、データ配信を行う基地局制御装置における制御方法であって、
上記基地局制御装置が、選択手段と、第２コンテンツデータ取得／生成手段と、配信手段とを備え、
上記選択手段が、上記複数の第１コンテンツデータの中から、一部の第１コンテンツデータを選択する選択ステップと、
上記第２コンテンツデータ取得／生成手段が、上記選択手段が選択した第１コンテンツデータと同じコンテンツを示す第２コンテンツデータを取得または生成する第２コンテンツデータ取得／生成ステップと、
上記配信手段が、第２コンテンツデータ取得／生成手段が取得または生成した第２コンテンツデータを、上記放送用下り専用回線と異なる回線を用いて、上記受信装置にマルチキャスト配信する配信ステップとを含む制御方法。
【請求項３１】
複数の第１コンテンツデータと、上記複数の第１コンテンツデータのうちの一部の第１コンテンツデータについて、当該第１コンテンツデータと同じコンテンツを示し、当該第１コンテンツデータよりも誤り耐性の強い伝送モードの第２コンテンツデータとを放送用下り専用回線を用いて同時に放送局から受信することが可能な受信装置における制御方法であって、
上記受信装置のコンテンツ指定手段が、上記複数の第１コンテンツデータのうちの１つを指定するステップと、
上記受信装置の再生手段が、上記コンテンツ指定手段により指定された第１コンテンツデータまたは当該第１コンテンツデータに対応する第２コンテンツデータを再生するステップと、
上記受信装置の送信手段が、上記コンテンツ指定手段により指定された第１のコンテンツデータを上記再生手段が再生しているときに、当該第１のコンテンツデータ特定するための指定コンテンツ情報を放送局に送信するステップとを含むことを特徴とする制御方法。
【請求項３３】
複数の第１コンテンツデータを放送用下り専用回線を用いて受信する第１受信手段と、
上記複数の第１コンテンツデータのうちの一部の第１コンテンツデータについて、当該第１コンテンツデータと同じコンテンツを示す第２コンテンツデータがマルチキャスト配信されており、上記放送用下り専用回線と異なる回線を用いて当該第２コンテンツデータを基地局制御装置から受信する第２受信手段とを備えた受信装置における制御方法であって、
上記受信装置のコンテンツ指定手段が、上記複数の第１コンテンツデータのうちの１つを指定するステップと、
上記受信装置の再生手段が、上記コンテンツ指定手段により指定された第１コンテンツデータまたは当該第１コンテンツデータに対応する第２コンテンツデータを再生するステップと、
上記受信装置の送信手段が、上記コンテンツ指定手段により指定された第１のコンテンツデータを上記再生手段が再生しているときに、当該第１のコンテンツデータ特定するための指定コンテンツ情報を基地局制御装置に送信するステップとを含むことを特徴とする制御方法。
【請求項３４】
請求項１から６のいずれか１項に記載の放送局を動作させる送信プログラムであって、コンピュータを上記の各手段として機能させるための送信プログラム。
【請求項３５】
請求項７から１２のいずれか１項に記載の基地局制御装置を動作させる配信プログラムであって、コンピュータを上記の各手段として機能させるための配信プログラム。
【請求項３６】
請求項１４または１６に記載に受信装置を動作させる受信プログラムであって、コンピュータを上記の各手段として機能させるための受信プログラム。
【請求項３７】
請求項３４から３６のいずれか１項に記載のプログラムを記録したコンピュータ読み取り可能な記録媒体。
【発明の詳細な説明】
【技術分野】
【０００１】
本発明は、コンテンツデータを送信する放送局、コンテンツデータを配信する基地局制御装置、コンテンツデータを受信する受信装置に関するものである。
【背景技術】
【０００２】
従来から、地上波デジタルテレビ放送や衛星放送など、放送用の下り専用回線を用いた放送が行われている。また、近年では、マルチキャスト通信を利用して、複数の端末に対して、テレビ映像などのコンテンツを配信するサービスが知られている。【０００３】
一方、このような放送や配信を受信する端末として、近年では携帯電話などの移動端末が存在する。このような移動端末では、その場所によって、上記放送や配信の受信品質が変化してしまう。そのため、例えば、映像が乱れてしまうという問題が生じる。【０００４】
そこで、特許文献１，２には、送信局が、同一のパケットについて、複数回送信する技術が記載されている。これにより、受信端末は、当該パケットを正常に受信できる確率が高くなり、受信品質が向上する。【０００５】
また、特許文献３には次のような技術が開示されている。すなわち、送信局あるいは受信端末において、受信品質の良否を判定する。そして、無線回線品質が劣化したときに、受信端末をマルチキャストグループから切り離し、当該受信装置と送信局との通信を、再送有りのポイント−ポイント通信に切り替える。その後、無線回線品質が良好になったと判定した場合に、受信端末をマルチキャストグループに復帰させて、当該受信装置と送信局との通信を、再送無しのポイント−マルチポイント通信によるマルチキャスト通信に切り替える。これによれば、受信装置は、無線回線品質が劣化した場合に、再送有りのポイント−ポイント通信（つまり、双方向回線を用いた通信）で、受信できなかったデータの再送要求を送信局に行い、当該データを再受信することができる。その結果、受信装置は、受信データの品質を向上させることができる。【０００６】
さらに、特許文献４，５には、受信装置が、下り専用回線で受信している放送信号の受信品質が悪い場合に、双方向回線を用いて送信局に再送要求し、再送されたパケットを受信することが記載されている。
【特許文献１】日本国公開特許公報「特開２００４−１８６８９２（２００４年７月２日公開）」
【特許文献２】日本国公開特許公報「特開２００４−２８９８３０（２００４年１０月１４日公開）」
【特許文献３】日本国公開特許公報「特開２００１−３０８７８４（２００１年１１月２日公開）」
【特許文献４】日本国公開特許公報「特開２００２−１０１５７（２００２年１月１１日公開）」
【特許文献５】日本国公開特許公報「特開２００４−１２８５６３（２００４年４月２２日公開）」
【発明の開示】
【０００７】
しかしながら、同一のパケットを複数回繰り返して送信する場合、回線を有効に利用することができなくなる。すなわち、無駄な通信が多くなるという問題が生じる。
【０００８】
また、双方向回線を用いて再送要求する場合、送信局は、受信端末ごとに、再送処理を行う必要があり、当該処理のための負荷が増大する。また、再送要求および再送処理に伴う時間により、受信装置は、再送要求をすることなく正常に受信した場合に比べて、当該再送されるパケットを遅れて受信することとなる。そのため、受信したデータをすぐに再生するリアルタイム映像等の場合、映像が中断したり途切れたりする可能性もある。さらに、双方向回線が圧迫され、再送されるデータの通信速度が低下したり、他のデータの送受信が十分にできなくなるという問題が生じる。
【０００９】
また、受信装置では、再送要求を個別に行う必要があり、負荷が増大する。
【００１０】
本発明は、上記の問題点に鑑みてなされたものであり、その目的は、再送要求の送受信の処理の削減もしくは軽減可能であるとともに、回線を有効活用でき、視聴者の満足度を向上させる受信装置、放送局、基地局制御装置、放送システム、受信プログラム、送信プログラム、配信プログラム、および記録媒体を実現することにある。
【００１１】
本発明の放送局は、上記の課題を解決するために、複数の第１コンテンツデータを放送用下り専用回線を用いて放送する放送局であって、上記複数の第１コンテンツデータの中から、一部の第１コンテンツデータを選択する選択手段と、上記選択手段が選択した第１コンテンツデータと同じコンテンツを示す第２コンテンツデータを取得または生成する第２コンテンツデータ取得／生成手段と、上記第２コンテンツデータ取得／生成手段が取得または生成した第２コンテンツデータを、上記第１コンテンツデータよりも誤り耐性の強い伝送モードで、上記放送用下り回線の予め定められた特定帯域を共用して放送する送信制御手段とを備える。
【００１２】
また、本発明の放送局の制御方法は、複数の第１コンテンツデータを放送用下り専用回線を用いて放送する放送局における制御方法であって、上記放送局が、選択手段と、第２コンテンツデータ取得／生成手段と、送信制御手段とを備え、上記選択手段が、上記複数の第１コンテンツデータの中から、一部の第１コンテンツデータを選択する選択ステップと、上記第２コンテンツデータ取得／生成手段が、上記選択手段が選択した第１コンテンツデータと同じコンテンツを示す第２コンテンツデータを取得または生成する第２コンテンツデータ取得／生成ステップと、上記送信制御手段が、上記第２コンテンツデータ取得／生成手段が取得または生成した第２コンテンツデータを、上記第１コンテンツデータよりも誤り耐性の強い伝送モードで、上記放送用下り回線の予め定められた特定帯域を用いて放送する送信ステップとを含む。
【００１３】
ここで、伝送モードは、その変調レートおよび符号化率によって、誤り耐性の強弱が決定される。例えば、符号化率が同じであれば、変調レートを低くすることで、誤り耐性が強くなる。一方、変調レートが同じであれば、符号化率を低くすることで、誤り耐性が強くなる。また、変調レートおよび符号化率の両者を低くすることで、誤り耐性が強くなる。さらに、符号化率が高くても、変調レートを一層低くすることでも、誤り耐性を強くすることができ、同様に、変調レートが高くても、符号化率を一層低くすることで、誤り耐性を強くすることができる。このように、変調レートおよび符号化率を制御することで、誤り耐性の強い伝送モードを決定することができる。なお、誤り耐性の強い伝送モードとは、要求受信品質の低い伝送モードである。
【００１４】
また、第１コンテンツデータは、第２コンテンツデータよりも誤り耐性が弱いが、伝送レートが高いため、受信状態が良い場合、第２コンテンツデータよりも優れた品質の映像や音声を提供できる。ただし、第１コンテンツデータは、第２コンテンツデータよりも誤り耐性が弱いため、受信状態を示す特徴量が上記閾値より悪くなると、急激に映像や音声が乱れる。
【００１５】
一方、第２コンテンツデータは、第１コンテンツデータよりも誤り耐性が強く、伝送レートが低いため、低品質ではあるものの、受信状態を示す特徴量が上記閾値より悪くても、ある程度正常に復調することができる。
【００１６】
上記の構成によれば、受信装置は、複数の第１コンテンツデータと、当該複数の第１コンテンツデータのうち一部のものに対応する第２コンテンツデータとを並列して受信することができる。そのため、受信装置は、一部のコンテンツについて、受信状態に応じて、第１コンテンツデータおよび第２コンテンツデータのいずれかを選択して再生することができる。すなわち、第１コンテンツンデータを正常に復調できずに、急激に映像等が乱れたとしても、誤り耐性の強い伝送モードの第２コンテンツデータを再生できるので、視聴に支障をきたす可能性を軽減できる。また、受信装置は従来のように個別通信を用いた再送要求を処理の負荷を軽減でき、双方向回線を有効に活用することができる。
【００１７】
なお、放送局は、各放送地域ごとに設置され、接続された１つの放送用アンテナを用いて、当該放送地域で放送する複数の第１コンテンツデータの一部に対応する第２コンテンツデータを放送する。もしくは、放送局は、複数の放送地域に設置された放送アンテナと接続され、各放送地域で放送する複数の第１コンテンツデータの一部に対応する第２コンテンツデータを生成または取得し、各放送地域で放送してもよい。
【００１８】
また、送信制御手段は、第２コンテンツデータが複数ある場合、上記特定帯域のうちの任意の帯域を用いて、これら第２コンテンツデータを放送する。また、上記特定帯域は、第２コンテンツデータ全体に対して予め定められた帯域である。つまり、上記特定帯域は、第２コンテンツデータで共用して使用されるものである。
【００１９】
さらに、本発明の放送局は、上記の構成に加えて、受信装置から、当該受信装置において再生指示が設定されている第１コンテンツデータを示す指定コンテンツ情報を取得する指定コンテンツ情報取得手段を備え、上記選択手段は、指定コンテンツ情報取得手段が取得した指定コンテンツ情報を集計し、その集計結果に基づいて、上記複数の第１コンテンツデータの中から、一部の第１コンテンツデータを選択してもよい。
【００２０】
上記の構成によれば、例えば、第２コンテンツデータ取得／生成手段は、視聴率の高い第１コンテンツデータに対応する第２コンテンツデータを取得または生成することができる。これにより、多くの受信装置において、受信状態が悪くなったとしても、第２コンテンツンデータを再生することにより、視聴に支障をきたす可能性をより軽減できる。
【００２１】
さらに、本発明の放送局は、上記の構成に加えて、上記指定コンテンツ情報取得手段は、上記受信装置から、上記指定コンテンツ情報とともに、当該受信装置の位置を示す位置情報を取得し、上記選択手段は、上記指定コンテンツ情報取得手段が取得した位置情報に基づいて、放送地域ごとに、上記複数の第１コンテンツデータの中から、一部の第１コンテンツデータを選択してもよい。
【００２２】
上記の構成によれば、例えば、第２コンテンツデータ取得／生成手段は、放送地域ごとに、視聴率の高い第１コンテンツデータに対応する第２コンテンツデータを取得または生成することができる。これにより、より多くの受信装置において、受信状態が悪くなったとしても、第２コンテンツンデータを再生することにより、視聴に支障をきたす可能性をより軽減できる。
【００２３】
さらに、本発明の放送局は、上記の構成に加えて、上記指定コンテンツ情報取得手段は、上記受信装置から、上記指定コンテンツ情報とともに、当該受信装置の位置を示す位置情報を取得し、上記選択手段は、上記指定コンテンツ情報取得手段が取得した位置情報に基づいて、所定地域に属する受信装置から取得した指定コンテンツ情報を特定し、特定した指定コンテンツ情報を集計してもよい。
【００２４】
上記の構成によれば、選択手段は、所定地域に属する受信装置からのみ受信した指定チャンネル情報を集計する。例えば、当該所定地域が、受信状態の不良が生じ易い地域（放送用アンテナから遠い地域）とすることで、選択手段は、受信不良が生じ易い地域で視聴率の高い第１コンテンツデータに対応する第２コンテンツデータを放送するように決定することができる。これにより、より多くの受信装置において、受信状態が悪くなったとしても、第２コンテンツンデータを再生することにより、視聴に支障をきたす可能性をより軽減できる。
【００２５】
さらに、本発明の放送局は、上記の構成に加えて、上記指定コンテンツ情報取得手段は、上記受信装置から、上記指定コンテンツ情報とともに、当該受信装置の受信状態を示す特徴量を取得し、上記選択手段は、所定値以下の上記特徴量に対応する指定コンテンツ情報を集計してもよい。
【００２６】
上記の構成によれば、選択手段は、所定値以下の上記特徴量に対応する指定コンテンツ情報を集計する。その結果、選択手段は、受信状態が悪い第１コンテンツデータに対応する第２コンテンツデータを放送するように決定することができる。これにより、より多くの受信装置において、受信状態が悪くなったとしても、第２コンテンツンデータを再生することにより、視聴に支障をきたす可能性をより軽減できる。
【００２７】
さらに、本発明の放送局は、上記の構成に加えて、上記第２コンテンツデータ取得／生成手段は、第１コンテンツデータの解像度およびフレームレートのうち少なくとも１つを低くした第２コンテンツデータを生成してもよい。
【００２８】
上記の構成によれば、第２コンテンツデータを第１コンテンツデータよりもデータ容量を小さくできる。これにより、第２コンテンツデータを放送するための帯域を小さくすることができる。
【００２９】
また、本発明の基地局制御装置は、放送局から放送される複数の第１コンテンツデータを放送用下り専用回線を用いて受信する受信装置に対して、データ配信を行う基地局制御装置であって、上記複数の第１コンテンツデータの中から、一部の第１コンテンツデータを選択する選択手段と、上記選択手段が選択した第１コンテンツデータと同じコンテンツを示す第２コンテンツデータを取得または生成する第２コンテンツデータ取得／生成手段と、第２コンテンツデータ取得／生成手段が取得または生成した第２コンテンツデータを、上記放送用下り専用回線と異なる回線を用いて、上記受信装置にマルチキャスト配信する配信手段とを備える。
【００３０】
また、本発明の基地局制御装置の制御方法は、放送局から放送される複数の第１コンテンツデータを放送用下り専用回線を用いて受信する受信装置に対して、データ配信を行う基地局制御装置における制御方法であって、上記基地局制御装置が、選択手段と、第２コンテンツデータ取得／生成手段と、配信手段とを備え、上記選択手段が、上記複数の第１コンテンツデータの中から、一部の第１コンテンツデータを選択する選択ステップと、上記第２コンテンツデータ取得／生成手段が、上記選択手段が選択した第１コンテンツデータと同じコンテンツを示す第２コンテンツデータを取得または生成する第２コンテンツデータ取得／生成ステップと、上記配信手段が、第２コンテンツデータ取得／生成手段が取得または生成した第２コンテンツデータを、上記放送用下り専用回線と異なる回線を用いて、上記受信装置にマルチキャスト配信する配信ステップとを含む。
【００３１】
上記の構成によれば、受信装置は、第１コンテンツデータを放送用下り専用回線で受信し、第２コンテンツデータを上記放送用下り専用回線と異なる回線で受信することができる。そのため、ダイバーシチ効果により、いずれも正常に再生できなくなる確率が極端に減少する。
【００３２】
これにより、受信装置は、受信状態に応じて、第１コンテンツデータおよび第２コンテンツデータのいずれかを選択して再生することができ、ダイバーシチ効果により、視聴に支障をもたらす可能性が軽減される。その結果、受信装置は従来のように個別通信を用いた再送要求を行う必要が減少し、処理負荷を減少できるとともに、双方向回線を有効に活用することができる。
【００３３】
さらに、本発明の基地局制御装置は、上記の構成に加えて、上記受信装置において再生指示が設定されている第１コンテンツデータを示す指定コンテンツ情報を取得する指定コンテンツ情報取得手段を備え、上記選択手段は、上記指定コンテンツ情報取得手段が取得した指定コンテンツ情報を集計し、その集計結果に基づいて、上記複数の第１コンテンツデータの中から、一部の第１コンテンツデータを選択する。
【００３４】
上記の構成によれば、例えば、第２コンテンツデータ取得／生成手段は、視聴率の高い第１コンテンツデータに対応する第２コンテンツデータを取得または生成することができる。これにより、多くの受信装置において、受信状態が悪くなったとしても、第２コンテンツンデータを再生することにより、視聴に支障をきたす可能性をより軽減できる。
【００３５】
さらに、本発明の基地局制御装置は、上記の構成に加えて、上記指定コンテンツ情報取得手段は、上記受信装置から、上記指定コンテンツ情報とともに、当該受信装置の位置を示す位置情報を取得し、上記選択手段は、上記指定コンテンツ情報取得手段が取得した位置情報に基づいて、配信地域ごとに、上記複数の第１コンテンツデータの中から、一部の第１コンテンツデータを選択してもよい。
【００３６】
上記の構成によれば、例えば、第２コンテンツデータ取得／生成手段は、放送地域ごとに、視聴率の高い第１コンテンツデータに対応する第２コンテンツデータを取得または生成することができる。これにより、より多くの受信装置において、受信状態が悪くなったとしても、第２コンテンツンデータを再生することにより、視聴に支障をきたす可能性をより軽減できる。
【００３７】
さらに、本発明の基地局制御装置は、上記の構成に加えて、上記指定コンテンツ情報取得手段は、上記受信装置から、上記指定コンテンツ情報とともに、当該受信装置の位置を示す位置情報を取得し、上記選択手段は、上記指定コンテンツ情報取得手段が取得した位置情報に基づいて、所定地域に属する受信装置から取得した指定コンテンツ情報を特定し、特定した指定コンテンツ情報を集計してもよい。
【００３８】
上記の構成によれば、選択手段は、所定地域に属する受信装置からのみ受信した指定チャンネル情報を集計する。例えば、当該所定地域が、受信状態の不良が生じ易い地域（放送用アンテナから遠い地域）とすることで、選択手段は、受信不良が生じ易い地域で視聴率の高い第１コンテンツデータに対応する第２コンテンツデータをマルチキャスト配信するように決定することができる。これにより、より多くの受信装置において、受信状態が悪くなったとしても、第２コンテンツンデータを再生することにより、視聴に支障をきたす可能性をより軽減できる。
【００３９】
さらに、本発明の基地局制御装置は、上記の構成に加えて、上記指定コンテンツ情報取得手段は、上記受信装置から、上記指定コンテンツ情報とともに、当該受信装置の受信状態を示す特徴量を取得し、上記選択手段は、所定値以下の特徴量に対応する指定コンテンツ情報を集計してもよい。
【００４０】
上記の構成によれば、選択手段は、所定値以下の上記特徴量に対応する指定コンテンツ情報を集計する。その結果、選択手段は、受信状態が悪い第１コンテンツデータに対応する第２コンテンツデータをマルチキャスト配信するように決定することができる。これにより、より多くの受信装置において、受信状態が悪くなったとしても、第２コンテンツンデータを再生することにより、視聴に支障をきたす可能性をより軽減できる。
【００４１】
さらに、本発明の基地局制御装置は、上記の構成に加えて、上記第２コンテンツデータ取得／生成手段は、第１コンテンツデータの解像度およびフレームレートのうち少なくとも１つを低くした第２コンテンツデータを生成してもよい。
【００４２】
上記の構成によれば、第２コンテンツデータを第１コンテンツデータよりもデータ容量を小さくできる。これにより、第２コンテンツデータを放送するための帯域を小さくすることができる。
【００４３】
また、本発明の受信装置は、第１コンテンツデータと、当該第１コンテンツデータと同じコンテンツを示し、当該第１コンテンツデータよりも誤り耐性の強い伝送モードの第２コンテンツデータとを放送用下り専用回線を用いて受信する受信手段と、上記受信手段における受信状態に対応する特徴量を測定する受信品質測定手段と、上記受信品質測定手段が測定した特徴量と予め定められた閾値との比較に基づいて、受信品質の良否を判定する受信品質判定手段と、上記第１コンテンツデータまたは第２コンテンツデータを再生する再生手段と、上記受信品質判定手段において受信品質が良であると判定された場合、上記第１コンテンツデータを上記再生手段に再生させ、上記受信品質判定手段において受信品質が不良であると判定された場合、上記第２コンテンツデータを上記再生手段に再生させる再生コンテンツ切替手段とを備える。
【００４４】
また、本発明の受信装置における受信方法は、受信手段と、受信品質測定手段と、受信品質判定手段と、再生手段と、再生コンテンツ切替手段とを備える受信装置における受信方法であって、上記受信手段が、第１コンテンツデータと、当該第１コンテンツデータと同じコンテンツを示し、当該第１コンテンツデータよりも誤り耐性の強い伝送モードの第２コンテンツデータとを放送用下り専用回線を用いて受信する受信ステップと、上記受信品質測定手段が、上記受信手段における受信状態に対応する特徴量を測定する受信品質測定ステップと、上記受信品質判定手段が、上記受信品質測定手段が測定した特徴量と予め定められた閾値との比較に基づいて、受信品質の良否を判定する受信品質判定ステップと、上記再生コンテンツ切替手段が、上記受信品質判定手段において受信品質が良であると判定された場合、上記第１コンテンツデータを上記再生手段に再生させ、上記受信品質判定手段において受信品質が不良であると判定された場合、上記第２コンテンツデータを上記再生手段に再生させる再生コンテンツ切替ステップとを含む。
【００４５】
上記の構成によれば、受信手段は、第１コンテンツデータと第２コンテンツデータとを並列して受信する。また、受信品質判定手段は、受信品質測定手段が測定した特徴量と上記閾値との比較に基づいて、受信品質の良否を判定する。そして、再生コンテンツ切替手段は、受信品質が良であると判定された場合、第１コンテンツデータを再生手段に再生させ、受信品質が不良であると判定された場合、第２コンテンツデータを再生手段に再生させる。
【００４６】
これにより、第１コンテンツンデータを正常に復調できずに、急激に映像等が乱れたとしても、第２コンテンツデータを再生できるので、視聴に支障をもたらさない。また、受信装置は従来のように個別通信を用いた再送要求を行う必要がなく、双方向回線を有効に活用することができる。
【００４７】
また、本発明の受信装置は、複数の第１コンテンツデータと、上記複数の第１コンテンツデータのうちの一部の第１コンテンツデータについて、当該第１コンテンツデータと同じコンテンツを示し、当該第１コンテンツデータよりも誤り耐性の強い伝送モードの第２コンテンツデータとを放送用下り専用回線を用いて受信する受信手段と、上記複数の第１コンテンツデータのうち１つを指定するコンテンツ指定手段と、上記受信手段における受信状態に対応する特徴量を測定する受信品質測定手段と、上記受信品質測定手段が測定した特徴量と予め定められた閾値との比較に基づいて、受信品質の良否を判定する受信品質判定手段と、上記第１コンテンツデータまたは第２コンテンツデータを再生する再生手段と、上記受信品質判定手段において受信品質が良であると判定された場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツデータに対応する第２コンテンツデータを上記受信手段が受信していない場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツに対応する第２コンテンツデータを上記受信手段が受信している場合、上記コンテンツ指定手段が指定した第１コンテンツデータに対応する第２コンテンツデータを上記再生手段に再生させる再生コンテンツ切替手段とを備える。
【００４８】
また、本発明の受信装置における受信方法は、受信手段と、コンテンツ指定手段と、受信品質測定手段と、受信品質判定手段と、再生手段と、再生コンテンツ切替手段とを備える受信装置における受信方法であって、上記受信手段が、複数の第１コンテンツデータと、上記複数の第１コンテンツデータのうちの一部の第１コンテンツデータについて、当該第１コンテンツデータと同じコンテンツを示し、当該第１コンテンツデータよりも誤り耐性の強い伝送モードの第２コンテンツデータとを放送用下り専用回線を用いて受信する受信ステップと、上記コンテンツ指定手段が、上記複数の第１コンテンツデータのうち１つを指定するコンテンツ指定ステップと、上記受信品質測定手段が、上記受信手段における受信状態に対応する特徴量を測定する受信品質測定ステップと、上記受信品質判定手段が、上記受信品質測定手段が測定した特徴量と予め定められた閾値との比較に基づいて、受信品質の良否を判定する受信品質判定ステップと、上記再生コンテンツ切替手段が、上記受信品質判定手段において受信品質が良であると判定された場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツデータに対応する第２コンテンツデータを上記受信手段が受信していない場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツに対応する第２コンテンツデータを上記受信手段が受信している場合、上記コンテンツ指定手段が指定した第１コンテンツデータに対応する第２コンテンツデータを上記再生手段に再生させる再生コンテンツ切替ステップとを含む。
【００４９】
上記の構成によれば、受信手段は、複数の第１コンテンツデータと、そのうちの一部に対応する第２コンテンツデータとを並列して受信する。
【００５０】
そして、受信品質判定手段は、受信品質測定手段が測定した特徴量と上記閾値との比較に基づいて、受信品質の良否を判定する。そして、再生コンテンツ切替手段は、受信品質が良であると判定された場合、第１コンテンツデータを再生手段に再生させる。また、再生コンテンツ切替手段は、受信品質が不良であると判定され、コンテンツ指定手段が指定した第１コンテンツデータに対応する第２コンテンツデータがある場合には、第２コンテンツデータを再生手段に再生させる。
【００５１】
これにより、第１コンテンツンデータを正常に復調できずに、急激に映像等が乱れたとしても、第２コンテンツデータがある場合には、当該第２コンテンツデータを再生できるので、視聴に支障をきたす可能性をより軽減できる。その結果、受信装置は従来のように個別通信を用いた再送要求を行う必要が少なくなり、双方向回線を有効に活用することができる。
【００５２】
また、本発明の受信装置は、第１コンテンツデータを放送用下り専用回線を用いて受信する第１受信手段と、当該第１コンテンツデータと同じコンテンツを示す第２コンテンツデータがマルチキャスト配信されており、上記放送用下り専用回線と異なる回線を用いて当該第２コンテンツデータを受信する第２受信手段と、上記第１受信手段における受信状態に対応する特徴量を測定する受信品質測定手段と、上記受信品質測定手段が測定した特徴量と予め定められた閾値との比較に基づいて、受信品質の良否を判定する受信品質判定手段と、上記第１コンテンツデータまたは第２コンテンツデータを再生する再生手段と、上記受信品質判定手段において受信品質が良であると判定された場合、上記第１コンテンツデータを上記再生手段に再生させ、上記受信品質判定手段において受信品質が不良であると判定された場合、上記第２コンテンツデータを上記再生手段に再生させる再生コンテンツ切替手段とを備える。
【００５３】
また、本発明の受信装置における受信方法は、第１受信手段と、第２受信手段と、受信品質測定手段と、受信品質判定手段と、再生手段と、再生コンテンツ切替手段とを備える受信装置における受信方法であって、上記第１受信手段が、第１コンテンツデータを放送用下り専用回線を用いて受信する第１受信ステップと、当該第１コンテンツデータと同じコンテンツを示す第２コンテンツデータがマルチキャスト配信されており、上記第２受信手段が、上記放送用下り専用回線と異なる回線を用いて当該第２コンテンツデータを受信する第２受信ステップと、上記受信品質測定手段が、上記第１受信手段における受信状態に対応する特徴量を測定する受信品質測定ステップと、上記受信品質判定手段が、上記受信品質測定手段が測定した特徴量と予め定められた閾値との比較に基づいて、受信品質の良否を判定する受信品質判定ステップと、上記再生コンテンツ切替手段が、上記受信品質判定手段において受信品質が良であると判定された場合、上記第１コンテンツデータを上記再生手段に再生させ、上記受信品質判定手段において受信品質が不良であると判定された場合、上記第２コンテンツデータを上記再生手段に再生させる再生コンテンツ切替ステップとを含む。
【００５４】
上記の構成によれば、第１受信手段が第１コンテンツデータを、第２受信手段が第２コンテンツデータを受信する。第１コンテンツデータと第２コンテンツデータとは、異なる回線を用いて放送（配信）されている。そのため、ダイバーシチ効果により、いずれも正常に再生できなくなる確率が極端に減少する。
【００５５】
また、受信品質判定手段は、受信品質測定手段が測定した特徴量と上記閾値との比較に基づいて、受信品質の良否を判定する。そして、再生コンテンツ切替手段は、受信品質が良であると判定された場合、第１コンテンツデータを再生手段に再生させ、受信品質が不良であると判定された場合、第２コンテンツデータを再生手段に再生させる。
【００５６】
これにより、第１コンテンツンデータを正常に復調できずに、急激に映像等が乱れたとしても、異なる回線でマルチキャスト配信されている第２コンテンツデータを再生できるので、ダイバーシチ効果により、視聴に支障をもたらす可能性が極端に低くなる。その結果、受信装置は従来のように個別通信を用いた再送要求を行う必要がほとんどなく、双方向回線を有効に活用することができる。
【００５７】
また、本発明の受信装置は、複数の第１コンテンツデータを放送用下り専用回線を用いて受信する第１受信手段と、上記複数の第１コンテンツデータのうちの一部の第１コンテンツデータについて、当該第１コンテンツデータと同じコンテンツを示す第２コンテンツデータがマルチキャスト配信されており、上記放送用下り専用回線と異なる回線を用いて当該第２コンテンツデータを受信する第２受信手段と、上記複数の第１コンテンツデータのうち１つを指定するコンテンツ指定手段と、上記第１受信手段における受信状態に対応する特徴量を測定する受信品質測定手段と、上記受信品質測定手段が測定した特徴量と予め定められた閾値との比較に基づいて、受信品質の良否を判定する受信品質判定手段と、上記第１コンテンツデータまたは第２コンテンツデータを再生する再生手段と、上記受信品質判定手段において受信品質が良であると判定された場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツデータに対応する第２コンテンツデータを上記第２受信手段が受信していない場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツに対応する第２コンテンツデータを上記第２受信手段が受信している場合、上記コンテンツ指定手段が指定した第１コンテンツデータに対応する第２コンテンツデータを上記再生手段に再生させる再生コンテンツ切替手段とを備える。
【００５８】
また、本発明の受信装置における受信方法は、第１受信手段と、第２受信手段と、コンテンツ指定手段と、受信品質測定手段と、受信品質判定手段と、再生手段と、再生コンテンツ切替手段とを備える受信装置における受信方法であって、上記第１受信手段が、複数の第１コンテンツデータを放送用下り専用回線を用いて受信する第１受信ステップと、上記複数の第１コンテンツデータのうちの一部の第１コンテンツデータについて、当該第１コンテンツデータと同じコンテンツを示す第２コンテンツデータがマルチキャスト配信されており、上記第２受信手段が、上記放送用下り専用回線と異なる回線を用いて当該第２コンテンツデータを受信する第２受信ステップと、上記コンテンツ指定手段が、上記複数の第１コンテンツデータのうち１つを指定するコンテンツ指定ステップと、上記受信品質測定手段が、上記第１受信手段における受信状態に対応する特徴量を測定する受信品質測定ステップと、上記受信品質判定手段が、上記受信品質測定手段が測定した特徴量と予め定められた閾値との比較に基づいて、受信品質の良否を判定する受信品質判定ステップと、上記再生コンテンツ切替手段が、上記受信品質判定手段において受信品質が良であると判定された場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツデータに対応する第２コンテンツデータを上記第２受信手段が受信していない場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツに対応する第２コンテンツデータを上記第２受信手段が受信している場合、上記コンテンツ指定手段が指定した第１コンテンツデータに対応する第２コンテンツデータを上記再生手段に再生させる再生コンテンツ切替ステップとを含む。
【００５９】
上記の構成によれば、第１コンテンツンデータを正常に復調できずに、急激に映像等が乱れたとしても、第２コンテンツデータがある場合には、異なる回線でマルチキャスト配信されている第２コンテンツデータを再生できるので、ダイバーシチ効果により、視聴に支障をもたらす可能性が軽減される。その結果、受信装置は従来のように個別通信を用いた再送要求を行う必要が減少し、処理負荷を減少できるとともに、双方向回線を有効に活用することができる。
【００６０】
さらに、本発明の受信装置は、上記の構成に加えて、各第１コンテンツデータには、対応する第２コンテンツデータの有無を示す第２コンテンツ有無情報が付加されており、対応する第２コンテンツデータがある場合、さらに当該第２コンテンツデータを識別する第２コンテンツ識別情報が付加されており、上記再生コンテンツ切替手段は、上記第２コンテンツ有無情報に基づいて、上記コンテンツ指定手段が指定した第１コンテンツデータに対応する第２コンテンツデータの有無を判断し、上記受信品質判定手段において受信品質が不良であると判定され、かつ、上記第２コンテンツ有無情報が有を示す場合、上記コンテンツ指定手段が指定した第１コンテンツデータに付加された第２コンテンツ識別情報が示す第２コンテンツデータを、上記再生手段に再生させる。
【００６１】
上記の構成によれば、再生コンテンツ切替手段は、コンテンツ指定手段が指定した第１コンテンツデータに対応する第２コンテンツデータを容易に認識することができる。
【００６２】
さらに、本発明の受信装置は、上記の構成に加えて、各第２コンテンツデータには、対応する第１コンテンツデータを識別する第１コンテンツ識別情報が付加されており、上記再生コンテンツ切替手段は、上記第１コンテンツ識別情報に基づいて、上記コンテンツ指定手段が指定した第１コンテンツデータに対応する第２コンテンツデータの有無を判断し、上記受信品質判定手段において受信品質が不良であると判定され、かつ、上記コンテンツ指定手段が指定した第１コンテンツデータに対応する第２コンテンツデータがあると判断した場合、上記コンテンツ指定手段が指定した第１コンテンツデータに対応する第１コンテンツ識別情報が付加された第２コンテンツデータを、上記再生手段に再生させる。
【００６３】
上記の構成によれば、再生コンテンツ切替手段は、コンテンツ指定手段が指定した第１コンテンツデータに対応する第２コンテンツデータを容易に認識することができる。
【００６４】
さらに、本発明の受信装置は、上記の構成に加えて、上記複数の第１コンテンツデータの中から、対応する第２コンテンツデータが送信される第１コンテンツデータを選択する制御局に対して、上記コンテンツ指定手段が指定した第１コンテンツデータを示す指定コンテンツ情報を送信する送信手段を備える。
【００６５】
上記の構成によれば、上記制御局は、指定コンテンツ情報を集計することで、視聴率の高い第１コンテンツデータに対応する第２コンテンツデータを放送（またはマルチキャスト配信）するように決定することができる。
【００６６】
さらに、本発明の受信装置は、上記の構成に加えて、現在の位置を示す位置情報を取得する位置情報取得手段を備え、上記送信手段は、上記指定コンテンツ情報とともに、上記位置情報取得手段が取得した位置情報を送信してもよい。
【００６７】
上記の構成によれば、上記制御局は、位置情報に基づいて、放送地域ごとに、指定コンテンツ情報を集計することができる。そして、上記制御局は、放送地域ごとに、視聴率の高い第１コンテンツデータに対応する第２コンテンツデータを放送（またはマルチキャスト配信）するように決定することができる。
【００６８】
さらに、本発明の受信装置は、上記の構成に加えて、上記送信手段は、上記指定コンテンツ情報とともに、上記受信品質測定手段が測定した特徴量を送信してもよい。
【００６９】
上記の構成によれば、上記制御局は、上記特徴量を基に、受信状態の悪い受信装置から送信された指定コンテンツ情報のみを集計することができる。その結果、上記制御局は、受信状態が悪い第１コンテンツデータに対応する第２コンテンツデータを放送（またはマルチキャスト配信）するように決定することができる。
【００７０】
さらに、本発明の受信装置は、上記の構成に加えて、現在の位置を示す位置情報を取得する位置情報取得手段と、上記位置情報取得手段が取得した位置情報に基づいて、所定地域に属するか否かを示す地域情報を取得する地域情報取得手段とを備え、上記送信手段は、上記地域情報取得手段が取得した地域情報が所定地域に属することを示す場合に、上記指定コンテンツ情報を送信してもよい。
【００７１】
上記の構成によれば、上記制御局は、特定の地域に属する受信装置からのみ指定チャンネル情報を取得することができる。例えば、特定の地域が、受信状態の不良が生じ易い地域（放送用アンテナから遠い地域）とする。これにより、上記制御局は、受信不良が生じ易い地域で視聴率の高い第１コンテンツデータに対応する第２コンテンツデータを放送（またはマルチキャスト配信）するように決定することができる。
【００７２】
さらに、本発明の受信装置は、上記の構成に加えて、上記送信手段は、上記受信品質測定手段が測定した特徴量が所定値以下の場合に、上記指定コンテンツ情報を送信してもよい。
【００７３】
上記の構成によれば、上記制御局は、受信状態の悪い受信装置からのみ、指定コンテンツ情報を取得する。その結果、上記制御局は、受信状態が悪い第１コンテンツデータに対応する第２コンテンツデータを放送（またはマルチキャスト配信）するように決定することができる。
【００７４】
また、本発明の放送システムは、第１コンテンツデータを放送用下り回線を用いて放送する放送局と、上記第１コンテンツデータを受信する受信装置とを備える放送システムであって、上記放送局は、上記第１コンテンツデータと同じコンテンツを示す第２コンテンツデータを取得または生成する第２コンテンツデータ取得／生成手段と、上記第２コンテンツデータ取得／生成手段が取得または生成した第２コンテンツデータを、上記第１コンテンツデータよりも誤り耐性の強い伝送モードで、上記放送用下り回線を用いて放送する送信制御手段とを備え、上記受信装置は、上記第１コンテンツデータ、および、上記第２コンテンツデータを上記放送局から受信する受信手段と、上記受信手段における受信状態に対応する特徴量を測定する受信品質測定手段と、上記受信品質測定手段が測定した特徴量と予め定められた閾値との比較に基づいて、受信品質の良否を判定する受信品質判定手段と、上記第１コンテンツデータまたは第２コンテンツデータを再生する再生手段と、上記受信品質判定手段において受信品質が良であると判定された場合、上記第１コンテンツデータを上記再生手段に再生させ、上記受信品質判定手段において受信品質が不良であると判定された場合、上記第２コンテンツデータを上記再生手段に再生させる再生コンテンツ切替手段とを備える。
【００７５】
上記の構成によれば、受信装置は、第１コンテンツンデータを正常に復調できずに、急激に映像等が乱れたとしても、第２コンテンツデータを再生できるので、視聴に支障をきたす可能性を軽減できる。また、受信装置は従来のように個別通信を用いた再送要求を行う必要がなく、双方向回線を有効に活用することができる。
【００７６】
また、本発明の放送システムは、複数の第１コンテンツデータを放送用下り回線を用いて放送する放送局と、上記第１コンテンツデータを受信する受信装置とを備える放送システムであって、上記放送局は、上記複数の第１コンテンツデータの中から、一部の第１コンテンツデータを選択する選択手段と、上記選択手段が選択した第１コンテンツデータの各々と同じコンテンツを示す第２コンテンツデータを取得または生成する第２コンテンツデータ取得／生成手段と、上記第２コンテンツデータ取得／生成手段が取得または生成した各第２コンテンツデータを、上記第１コンテンツデータよりも誤り耐性の強い伝送モードで、上記放送用下り回線において予め定められた特定帯域を共用して放送する送信制御手段とを備え、上記受信装置は、上記第１コンテンツデータ、および、上記第２コンテンツデータを上記放送局から受信する受信手段と、上記複数の第１コンテンツデータのうち１つを指定するコンテンツ指定手段と、上記受信手段における受信状態に対応する特徴量を測定する受信品質測定手段と、上記受信品質測定手段が測定した特徴量と予め定められた閾値との比較に基づいて、受信品質の良否を判定する受信品質判定手段と、上記第１コンテンツデータまたは第２コンテンツデータを再生する再生手段と、上記受信品質判定手段において受信品質が良であると判定された場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツデータに対応する第２コンテンツデータを上記受信手段が受信していない場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツに対応する第２コンテンツデータを上記受信手段が受信している場合、上記コンテンツ指定手段が指定した第１コンテンツデータに対応する第２コンテンツデータを上記再生手段に再生させる再生コンテンツ切替手段とを備える。
【００７７】
上記の構成によれば、第１コンテンツンデータを正常に復調できずに、急激に映像等が乱れたとしても、第２コンテンツデータがある場合には、当該第２コンテンツデータを再生できるので、視聴に支障をきたす可能性をより軽減できる。その結果、受信装置は従来のように個別通信を用いた再送要求を行う必要が少なくなり、双方向回線を有効に活用することができる。
【００７８】
また、本発明の放送システムは、第１コンテンツデータを放送用下り回線を用いて放送する放送局と、上記第１コンテンツデータを受信する受信装置と、上記受信装置に対してデータ配信を行う基地局制御装置とを備える放送システムであって、上記基地局制御装置は、上記第１コンテンツデータと同じコンテンツを示す第２コンテンツデータを取得または生成する第２コンテンツデータ取得／生成手段と、上記第２コンテンツデータ取得／生成手段が取得または生成した第２コンテンツデータを、上記放送用下り専用回線と異なる回線を用いて、上記受信装置にマルチキャスト配信する配信手段とを備え、上記受信装置は、上記第１コンテンツデータを上記放送局から受信する第１受信手段と、上記第２コンテンツデータを上記基地局制御装置から受信する第２受信手段と、上記第１受信手段における受信状態に対応する特徴量を測定する受信品質測定手段と、上記受信品質測定手段が測定した特徴量と予め定められた閾値との比較に基づいて、受信品質の良否を判定する受信品質判定手段と、上記第１コンテンツデータまたは第２コンテンツデータを再生する再生手段と、上記受信品質判定手段において受信品質が良であると判定された場合、上記第１コンテンツデータを上記再生手段に再生させ、上記受信品質判定手段において受信品質が不良であると判定された場合、上記第２コンテンツデータを上記再生手段に再生させる再生コンテンツ切替手段とを備える。
【００７９】
上記の構成によれば、第１コンテンツンデータを正常に復調できずに、急激に映像等が乱れたとしても、異なる回線でマルチキャスト配信されている第２コンテンツデータを再生できるので、ダイバーシチ効果により、視聴に支障をもたらす可能性が軽減される。その結果、受信装置は従来のように個別通信を用いた再送要求を行う必要が少なくなり、双方向回線を有効に活用することができる。
【００８０】
また、本発明の放送システムは、複数の第１コンテンツデータを放送用下り回線を用いて放送する放送局と、上記第１コンテンツデータを受信する受信装置と、上記受信装置に対してデータ配信を行う基地局制御装置とを備える放送システムであって、上記基地局制御装置は、上記複数の第１コンテンツデータの中から、一部の第１コンテンツデータを選択する選択手段と、上記選択手段が選択した第１コンテンツデータと同じコンテンツを示す第２コンテンツデータを取得または生成する第２コンテンツデータ取得／生成手段と、第２コンテンツデータ取得／生成手段が取得または生成した第２コンテンツデータを、上記放送用下り専用回線と異なる回線を用いて、上記受信装置にマルチキャスト配信する配信手段とを備え、上記受信装置は、上記第１コンテンツデータを上記放送局から受信する第１受信手段と、上記第２コンテンツデータを上記基地局制御装置から受信する第２受信手段と、上記複数の第１コンテンツデータのうち１つを指定するコンテンツ指定手段と、上記第１受信手段における受信状態に対応する特徴量を測定する受信品質測定手段と、上記受信品質測定手段が測定した特徴量と予め定められた閾値との比較に基づいて、受信品質の良否を判定する受信品質判定手段と、上記第１コンテンツデータまたは第２コンテンツデータを再生する再生手段と、上記受信品質判定手段において受信品質が良であると判定された場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツデータに対応する第２コンテンツデータを上記第２受信手段が受信していない場合、上記コンテンツ指定手段が指定した第１コンテンツデータを上記再生手段に再生させ、上記受信品質判定手段において受信品質が不良であると判定され、かつ、上記コンテンツ指定手段が指定した第１コンテンツに対応する第２コンテンツデータを上記第２受信手段が受信している場合、上記コンテンツ指定手段が指定した第１コンテンツデータに対応する第２コンテンツデータを上記再生手段に再生させる再生コンテンツ切替手段とを備える。
【００８１】
上記の構成によれば、第１コンテンツンデータを正常に復調できずに、急激に映像等が乱れたとしても、第２コンテンツデータがある場合には、異なる回線でマルチキャスト配信されている第２コンテンツデータを再生できるので、ダイバーシチ効果により、視聴に支障をもたらす可能性が軽減される。その結果、受信装置は従来のように個別通信を用いた再送要求を行う必要が少なくなり、双方向回線を有効に活用することができる。
【００８２】
なお、上記受信装置または上記放送局または上記基地局制御装置は、コンピュータによって実現してもよく、この場合には、コンピュータを上記各手段として動作させることにより上記受信装置または上記放送局または上記基地局制御装置をコンピュータにて実現させるプログラム、およびそれを記録したコンピュータ読み取り可能な記録媒体も、本発明の範疇に入る。
【図面の簡単な説明】
【００８３】
【図１】実施形態１の携帯端末の構成を示すブロック図である。
【図２】実施形態１の放送システムの概要を示すブロック図である。
【図３】放送システムの放送信号および視聴情報の流れを示す図である。
【図４】本放送用チャンネルおよび副放送用チャンネルを示す図である。
【図５】実施形態１の放送制御局の構成を示すブロック図である。
【図６】放送制御局が備えるデータ変換部におけるデータ変換処理を示す図である。
【図７】実施形態１における本放送データのフレーム構成を示す図である。
【図８】上記携帯端末における視聴情報の送信処理の流れを示すフローチャートである。
【図９】上記放送制御局における副放送データの決定処理の流れを示すフローチャートである。
【図１０】副放送データの決定処理を一例を示す図である。
【図１１】上記携帯端末における本放送用チャンネル／副放送用チャンネルの切替処理の流れを示すフローチャートである。
【図１２】指定チャンネルに対応する副放送データが副放送用チャンネルで継続して放送されている場合の切替処理の一例を示す図である。
【図１３】指定チャンネルに対応する副放送データが、副放送用チャンネルで放送される期間Ｐ１と、放送されない期間Ｐ０が交互に繰り返されている場合の切替処理の一例を示す図である。
【図１４】実施形態２に係る放送システムの概要を示すブロック図である。
【図１５】実施形態２の放送制御局の構成を示すブロック図である。
【図１６】実施形態２の基地局制御装置の構成を示すブロック図である。
【図１７】実施形態２の携帯端末の構成を示すブロック図である。
【図１８】放送地域を示す図である。
【図１９】実施形態３の携帯端末の構成を示すブロック図である。
【図２０】実施形態３における監視情報の要求・受信処理の流れを示すフローチャートである。
【図２１】実施形態３における視聴情報の送信処理の流れを示すフローチャートである。
【図２２】送信制御部１７における送信処理の変形例を示す図である。
【図２３】副放送データの変形例を示す図である。
【符号の説明】
【００８４】
１・１０１  放送制御局
２  放送用アンテナ
３・１０３・２０３  携帯端末（受信装置）
４  基地局
５  コンテンツサーバ
６  基地局制御装置
１１  コンテンツデータ取得部
１２  視聴情報処理部（指定コンテンツ情報取得手段）
１３  視聴情報管理部
１４  副放送データ決定部（選択手段）
１５  データ変換部（第２コンテンツデータ取得／生成手段）
１６・６６  割り当て情報付加部
１７  送信制御部（送信制御手段）
１８  タイマ
３１  受信アンテナ（受信手段、第１受信手段）
３２  高周波受信部（受信手段、第１受信手段）
３３  復調部（受信手段、第１受信手段）
３４  電界強度測定部（受信品質測定手段）
３５  誤り検出部（受信品質測定手段）
３６・１３６  デコード部（再生手段）
３７  制御部
３８・２３８  視聴情報生成部（送信手段）
３９  エンコード部
４０  変復調部（送信手段）
１４０  変復調部（第２受信手段）
４１  高周波送受信部（送信手段）
１４１  高周波送受信部（第２受信手段）
４２  送受信アンテナ（送信手段、第２受信手段）
４３  入力部（コンテンツ指定手段）
４４  表示部（再生手段）
４５  スピーカ（再生手段）
４６  タイマ
４７  ＧＰＳ受信部（位置情報取得手段）
４８  監視情報要求生成部
５１  指定チャンネル取得部（コンテンツ指定手段）
５２  受信品質判定部（受信品質判定手段）
５３・１５３  割り当て情報抽出部
５４・１５４  切替処理部（再生コンテンツ切替手段）
６７  送信制御部（配信手段）
【発明を実施するための最良の形態】
【００８５】
〔実施形態１〕
本発明の一実施形態について図１ないし図１３に基づいて説明すると以下の通りである。図２は、本実施形態に係る放送システムの構成を示すブロック図である。図２に示されるように、放送システムは、放送制御局（放送局、制御局）１と、複数の放送用アンテナ２，…と、複数の携帯端末（受信装置）３，…と、複数の基地局４，…と、コンテンツサーバ５と、通信ネットワークＮとを含む。【００８６】
放送制御局１は、コンテンツサーバ５から放送用のデータを取得し、取得したデータに対応する放送信号を、放送用アンテナ２から地上波デジタルテレビの放送を行うものである。また、本実施形態においては、放送制御局１は、放送地域ごとに設置された複数の放送用アンテナ２を用いて、放送地域ごとの放送を制御するものとして説明するが、これに限られるものではない。例えば、放送制御局１は、１つの放送地域に設置されており、１つの放送用アンテナ２を用いて、当該放送地域における放送を制御するものでもよい。なお、放送制御局１の詳細な構成については、後述する。【００８７】
本実施形態では、放送制御局１は、図４に示されるように、１ｃｈ〜Ｎｃｈの本放送用チャンネルと、Ｓ１ｃｈ〜Ｓｍｃｈ（本実施形態ではｍ＜Ｎである）の副放送用チャンネルを用いて、放送する。この図は、チャネルの構成の概念図であり、チャネルが周波数的に分割されていても良いし、時間的に分割されていてもよい。【００８８】
本放送用チャンネルは、コンテンツサーバ５が蓄積している本放送データを、伝送レートが高い（誤り耐性が弱い）伝送モードで放送するのに対し、副放送用チャンネルは、上記本放送データと同内容の副放送データを、本放送用チャンネルよりも誤り耐性の強い伝送モードで放送するためのものである。【００８９】
ここで、伝送モードは、ＢＰＳＫ、ＱＰＳＫ、１６ＱＡＭなどの変調レートおよび誤り訂正符号化率（以下、単に符号化率という）で規定されるものである。ここで、符号化率は、一般に、１／２，１／３，２／３，・・・などで表され、低いほど誤り耐性が強くなる。すなわち、符号化率は、伝送レートと比例関係にある。【００９０】
なお、誤り耐性の強い伝送モードとは、要求受信品質が低い伝送モードである。伝送モードの誤り耐性は、変調レートおよび符号化率によって制御可能である。例えば、符号化率が同じであれば、変調レートを低くすることで、誤り耐性が強くなる。一方、変調レートが同じであれば、符号化率を低くすることで、誤り耐性が強くなる。また、変調レートおよび符号化率の両者を低くすることで、誤り耐性が強くなる。さらに、符号化率が高くても、変調レートを一層低くすることでも、誤り耐性を強くすることができ、同様に、変調レートが高くても、符号化率を一層低くすることで、誤り耐性を強くすることができる。【００９１】
なお、以下では、副放送データを、本放送データよりも変調レートが低い（符号化率は同じ）ものとして説明する。ただし、これに限らず、副放送データは、本放送データよりも符号化率が低い、もしくは、変調レートおよび符号化率が低くてもよい。【００９２】
これにより、携帯端末３は、副放送用チャンネルで放送される副放送データを、本放送データよりも正常に復調し易くなる。【００９３】
なお、本実施形態では、副放送用チャンネルの帯域を本放送用チャンネルのそれよりも小さくするために、副放送データの解像度およびフレームレートを、本放送データよりも低くしている。【００９４】
放送用アンテナ２は、放送地域ごとに設置されている。この放送用アンテナ２は、３６０度に渡って放送波を出力できるものであればよい。または、一部のみに放送波を出力できるアンテナであっても良い。この場合は複数のアンテナが同じ位置に在ってもよいし、異なる場所に在ることもある。【００９５】
携帯端末３は、放送用アンテナ２から送出される放送信号を受信し、受信した放送信号を再生するものであり、例えば、携帯電話やＰＤＡ、携帯型ＴＶである。携帯端末３は、受信信号の電界強度に応じて、本放送用チャンネルで放送されている本放送データ、および、副放送用チャンネルで放送されている副放送データのうちいずれかを選択して受信し、受信したデータを再生する。また、携帯端末３は、ユーザによって指定されている本放送用チャンネル（指定チャンネル）を示す視聴情報を、放送制御局１に送信する。なお、携帯端末３の詳細な構成については後述する。【００９６】
基地局４は、双方向回線を用いて、自身のエリア内に存在する携帯端末３と通信を行うものである。基地局４は、携帯端末３と放送制御局１との間で送受信されるデータの中継を行う。【００９７】
コンテンツサーバ５は、本放送用チャンネルごとに、当該チャンネルで放送される番組の本放送データを蓄積しているものである。【００９８】
図３は、本実施形態の放送システムにおける、放送信号および視聴情報の流れを示す図である。図３に示されるように、放送用アンテナ２から本放送データおよび副放送データが放送される。また、各携帯端末３は、自身が属しているエリア内に設置された基地局４を介して、放送制御局１に視聴情報を送信する。【００９９】
（放送制御局の構成）
次に、放送制御局１の内部構成について説明する。図５は、放送制御局１の構成を示すブロック図である。図５に示されるように、放送制御局１は、コンテンツデータ取得部１１、視聴情報処理部（指定コンテンツ情報取得手段）１２、視聴情報管理部１３、副放送データ決定部（選択手段）１４、データ変換部（第２コンテンツデータ取得／生成手段）１５、割り当て情報付加部１６、送信制御部（送信制御手段）１７、およびタイマ１８を備えている。【０１００】
コンテンツデータ取得部１１は、通信ネットワークＮを介して、コンテンツサーバ５から、各本放送用チャンネルで放送する番組の本放送データを取得するものである。コンテンツデータ取得部１１は、本放送用チャンネルごとに取得した本放送データを、データ変換部１５および割り当て情報付加部１６に出力する。【０１０１】
視聴情報処理部１２は、通信ネットワークＮを介して、各携帯端末３から視聴情報を取得し、取得した視聴情報に基づいた所定の処理を行うものである。ここで、視聴情報とは、携帯端末３において、ユーザによって指定（設定）されている本放送用チャンネル（指定チャンネル）を示す情報である。【０１０２】
視聴情報処理部１２は、取得した視聴情報と取得時刻とを対応付けて、視聴情報管理部１３に格納する。【０１０３】
視聴情報管理部１３は、上記視聴情報と当該視聴情報の取得時刻とを対応付けて管理するものである。また、視聴情報管理部１３は、現時刻よりも所定時間前の取得時刻に対応する視聴情報を削除する。これにより、視聴情報管理部１３は、上記所定時間において、視聴されている本放送用チャンネルの度数分布を管理することができる。【０１０４】
副放送データ決定部１４は、視聴情報管理部１３が管理する視聴情報に基づいて、各副放送用チャンネルで放送する副放送データを決定するものである。なお、副放送データ決定部１４は、タイマ１８を参照して、所定時間（例えば５分）ごとに、副放送データを決定する。【０１０５】
具体的には、副放送データ決定部１４は、視聴情報管理部１３が管理する視聴情報に基づいて、本放送用チャンネルごとに、当該本放送用チャンネルを示す視聴情報の数（つまり、視聴者数に対応する）を集計する。そして、副放送データ決定部１４は、視聴者数が最も多い本放送用チャンネルからｍ番目に多い本放送用チャンネルを特定する。さらに、副放送データ決定部１４は、特定したｍ個の本放送用チャンネルで放送されている本放送データと同じ内容で、かつ、当該本放送データよりも低い変調レートの副放送データを、副放送用チャンネルで放送すると決定する。なお、副放送データ決定部１４は、タイマ１８を用いずに視聴者数が最も多い本放送用チャネルの順位の変動があった際にその順位に従って送るべき副放送データを決定しても良い。【０１０６】
また、副放送データ決定部１４は、副放送データを放送する副放送用チャンネルをランダムに決定する。ただし、副放送データ決定部１４は、今回副放送すると決定した本放送用チャンネルのうち、前回副放送すると決定した本放送用チャンネルと同じものに対応する副放送データについては、前回と同じ副放送用チャンネルで放送すると決定する。【０１０７】
副放送データ決定部１４は、副放送すると決定した各副放送データについて、当該副放送データに対応する本放送用チャンネルと当該副放送データを放送する副放送用チャンネルとを対応付けた副放送情報を、データ変換部１５、割り当て情報付加部１６および送信制御部１７に出力する。【０１０８】
データ変換部１５は、コンテンツ取得部１１から、本放送用チャンネルごとに対応する本放送データを取得し、副放送データ決定部１４から受けた副放送情報が示す本放送用チャンネルに対応する本放送データを、副放送データに変換する処理を行うものである。【０１０９】
図６は、データ変換部１５におけるデータ変換の処理内容を示す図である。データ変換部１５は、トランスコーディング技術を用いてデータ変換を行う。図６に示されるように、データ変換部１５は、例えばＭＰＥＧ４ムービーファイルである本放送データをデコードする。そして、データ変換部１５は、デコードした本放送データを、低解像度に解像度変換するとともに、フレームレートを低くするようにフレームレート変換を行う。その後、データ変換部１５は、解像度変換およびフレームレート変換を行ったデータをエンコードし、例えばＭＰＥＧ４メール用ファイルである副放送データを生成する。【０１１０】
割り当て情報付加部１６は、各放送データに、チャンネル構成を示す割り当て情報を付加するものである。すなわち、割り当て情報付加部１６は、各本放送データに対して、放送される本放送用チャンネル、副放送データの放送の有無、副放送される副放送用チャンネル、および変調レートを示す割り当て情報を付加する。また、割り当て情報付加部１６は、データ変換部１５が生成した各副放送データに対して、放送される副放送用チャンネルおよび変調レートを示す割り当て情報を付加する。【０１１１】
具体的には、割り当て情報付加部１６は、副放送データ決定部１４から受けた副放送情報が示す本放送用チャンネルに対応する本放送データに対して、副放送が放送されることを示す副放送有無情報と、当該副放送情報が示す副放送用チャンネルを示す副放送チャンネル情報とを付加する。【０１１２】
また、割り当て情報付加部１６は、副放送データ決定部１４から受けた副放送情報が示す本放送用チャンネル以外の本放送用チャンネルに対応する本放送データに対して、副放送が放送されないことを示す副放送有無情報と、副放送用チャンネルがないことを示す副放送チャンネル情報とを付加する。当該副放送有無情報および副放送チャンネル情報が割り当て情報である。【０１１３】
なお、副放送有無情報は、副放送が有の場合「１」とし、副放送が無の場合「０」とする。【０１１４】
送信制御部１７は、割り当て情報が付加された本放送データおよび副放送データを、対応するチャンネルで放送するものである。また、送信制御部１７は、本放送データを、比較的高い変調レート（例えば、１６ＱＡＭや６４ＱＡＭ）で送信する。さらに、送信制御部１７は、副放送データを、本放送データよりも低い変調レート、ＱＰＳＫで送信する。【０１１５】
図７は、送信制御部１７が送信する本放送データに対応するフレーム７の構造を示す図である。図７に示されるように、フレーム７は、同期用ビット７ａと、割り当て情報ビット７ｂと、データ部７ｃとからなる。【０１１６】
同期用ビット７ａは、同期を取るための既知の固定ビットである。端末装置はこの同期用ビットにより、信号強度、受信品質等を測定可能である。割り当て情報ビット７ｂは、上記割り当て情報付加部１６が付加した割り当て情報（本放送用チャンネル、副放送の有無、副放送チャンネル、および変調レートを示す情報）を示すビットである。データ部７ｃは、コンテンツデータを示すものである。【０１１７】
（携帯端末の構成）
図１は、携帯端末３の構成を示すブロック図である。図１に示されるように、携帯端末３は、受信アンテナ（受信手段、第１受信手段）３１と、高周波受信部（受信手段、第１受信手段）３２と、復調部（受信手段、第１受信手段）３３と、電界強度測定部（受信品質測定手段）３４と、誤り検出部（受信品質測定手段）３５と、デコード部（再生手段）３６と、制御部３７と、視聴情報生成部３８と、エンコード部３９と、変復調部（送信手段）４０と、高周波送受信部（送信手段）４１と、送受信アンテナ（送信手段）４２と、入力部（コンテンツ指定手段４３と、表示部（再生手段）４４と、スピーカ（再生手段）４５とを備える。【０１１８】
高周波受信部３２は、受信アンテナ３１を介して、放送用アンテナ２から送信される放送信号（放送波）を受信するものである。【０１１９】
復調部３３は、高周波受信部３２が受信した受信信号を復調するものである。【０１２０】
電界強度測定部３４は、高周波受信部３２が受信した受信信号の電界強度を測定するものである。電界強度測定部３４は、測定した電界強度を制御部３７に出力する。【０１２１】
誤り検出部３５は、復調部３３で復調された受信信号の誤りを検出するものであり、受信信号のＳ／Ｎ比を測定する。【０１２２】
デコーダ部３６は、復調部３３で復調された受信信号（放送データ）を映像データおよび音声データへと復号化して、それぞれを表示部４４およびスピーカ４５に出力するものである。ただし、デコーダ部３６は、制御部３７で指示されたチャンネルに対応する受信信号を映像データおよび音声データへと復号化する。また、デコーダ部３６は、受信信号から割り当て情報を抽出し、抽出した割り当て情報を制御部３７に出力する。【０１２３】
制御部３７は、デコーダ部３６が復号化する受信信号のチャンネルを制御するものである。制御部３７は、図１に示されるように、指定チャンネル取得部（コンテンツ指定手段）５１と、受信品質判定部（受信品質判定手段）５２と、割り当て情報抽出部５３と、切替処理部（再生コンテンツ切替手段）５４とを備える。【０１２４】
指定チャンネル取得部５１は、入力部４３から、ユーザによって指定された本放送用チャンネル（以下、指定チャンネルという）を示す指定チャンネル情報を取得するものである。指定チャンネル取得部５１は、取得した指定チャンネル情報を、割り当て情報抽出部５３および切替処理部５４に出力する。また、指定チャンネル取得部５１は、取得した指定チャンネル情報が示す指定チャンネルを視聴情報生成部３８に伝達する。【０１２５】
受信品質判定部５２は、電界強度測定部３４から受けた電界強度が、予め定められた要求品質閾値以上であるか否かを判定し、その判定結果（品質判定結果）を切替処理部５４に出力するものである。当該要求品質閾値として、デジタル放送のクリフエフェクトに従って、映像が急激に劣化するときの電界強度が設定されている。なお、品質判定結果は、電界強度が要求品質閾値以上である場合に「０」とし、電界強度が要求品質閾値未満である場合に「１」とする。【０１２６】
割り当て情報抽出部５３は、指定チャンネル取得部５１から受けた指定チャンネル情報が示す指定チャンネルに対応する本放送データに付加された割り当て情報を、デコード部３６から取得し、取得した割り当て情報を、切替処理部５４に出力するものである。【０１２７】
切替処理部５４は、受信品質判定部５２からの判定結果、および、割り当て情報抽出部５３からの割り当て情報（副放送有無情報および副放送チャンネル情報）に基づいて、デコード部３６が表示部４４およびスピーカ４５に出力するデータのチャンネルを切り替えるものである。言い換えると、切替処理部５４は、どのチャンネルのデータ（映像データおよび音声データ）を表示部４４およびスピーカ４５に出力するかを決定する。【０１２８】
具体的には、切替処理部５４は、品質判定結果が「１」であり、かつ、副放送有無情報が「１」である場合に、割り当て情報抽出部５３から受けた副放送チャンネル情報が示す副放送用チャンネルの副放送データからデコードされたデータを表示部４４およびスピーカ４５に出力するように、デコーダ部３６を制御する。【０１２９】
一方、これ以外の場合、切替処理部５４は、指定チャンネル取得部５１から受けた指定チャンネル情報が示す本放送用チャンネルの本放送データからデコードされたデータを表示部４４およびスピーカ４５に出力するように、デコーダ部３６を制御する。【０１３０】
視聴情報生成部３８は、タイマ４６を参照して、所定時間（例えば、５００ｍｓ）ごとに、指定チャンネル取得部５１から伝達された指定チャンネルを示す視聴情報を生成する。【０１３１】
エンコード部３９は、視聴情報生成部３９が生成した視聴情報をエンコードするものである。【０１３２】
変復調部４０は、エンコード部３９から受けた視聴情報を変調するとともに、高周波送受信部４１が受信した信号を復調する処理を行う。【０１３３】
高周波送受信部４１は、変復調部４０にて変調された視聴情報を、送受信アンテナ４２および通信ネットワークＮを介して、放送制御局１に送信するとともに、放送アンテナ４２を用いて、信号を受信するものである。【０１３４】
入力部４３は、例えば、キーや、タッチパネルなどのユーザインターフェイスである。表示部４４は、例えば、液晶ディスプレイである。【０１３５】
（視聴情報の送信処理）
次に、携帯端末３における視聴情報の送信処理の流れについて、図８のフローチャートを参照しながら説明する。【０１３６】
まず、携帯端末３において、地上波デジタルテレビ放送の受信開始指示および指定チャンネルが入力部４３に入力されると、指定チャンネル取得部５１は、入力部４３から入力された指定チャンネルを示す指定チャンネル情報を取得する。そして、指定チャンネル取得部５１は、取得した指定チャンネル情報が示す指定チャンネルを視聴情報生成部３８に伝達する（Ｓ１）。【０１３７】
次に、視聴情報生成部３８は、指定チャンネル取得部５１から伝達された指定チャンネルを示す視聴情報を生成する。そして、エンコード部３９が当該視聴情報をエンコードし、変復調部４０がエンコードされた当該視聴情報を変調する。そして、高周波送受信部４１は、変調された視聴情報を、送受信アンテナ４２および通信ネットワークＮを介して、放送制御局１に送信する（Ｓ２）。【０１３８】
次に、視聴情報生成部３８は、タイマ４６をリセットする（Ｓ３）。その後、制御部３７は、地上波デジタルテレビ放送の受信停止指示が入力部４３に入力されたか否かを判断する（Ｓ４）。【０１３９】
受信停止指示が入力された場合（Ｓ４でＹｅｓ）、制御部３７は処理を終了する。【０１４０】
受信停止指示が入力されない場合（Ｓ４でＮｏ）、指定チャンネル取得部５１は、入力部４３に指定チャンネルの変更指示が入力されたか否かを判断する（Ｓ５）。【０１４１】
指定チャンネルの変更指示が入力されない場合（Ｓ５でＮｏ）、Ｓ７の処理に移る。【０１４２】
一方、指定チャンネルの変更指示が入力された場合（Ｓ５でＹｅｓ）、指定チャンネル取得部５１は、変更後の指定チャンネルを示す指定チャンネル情報を入力部４３から取得する。そして、指定チャンネル取得部５１は、取得した指定チャンネル情報が示す指定チャンネルを視聴情報生成部３８に伝達する（Ｓ６）。【０１４３】
その後、Ｓ７において、視聴情報生成部３８は、タイマ４６を参照して、所定時間（例えば５００ｍｓ）経過したか否かを判断する。【０１４４】
所定時間経過していない場合（Ｓ７でＮｏ）、Ｓ４の処理に戻る。【０１４５】
一方、所定時間経過した場合（Ｓ７でＹｅｓ）、視聴情報生成部３８は、指定チャンネル取得部５１から伝達された最新の指定チャンネルを示す視聴情報を生成する。そして、エンコード部３９が当該視聴情報をエンコードし、変復調部４０がエンコードされた当該視聴情報を変調する。そして、高周波送受信部４１は、変調された視聴情報を、送受信アンテナ４２および通信ネットワークＮを介して、放送制御局１に送信する（Ｓ８）。その後、Ｓ３の処理に戻る。【０１４６】
以上のような処理により、視聴情報生成部３８は、所定時間ごとに、ユーザによって現在指定されている本放送用チャンネル（指定チャンネル）を示す視聴情報を、放送制御局１に送信することができる。【０１４７】
（副放送データの決定処理）
次に、放送制御局１における副放送データの決定処理の流れについて、図９のフローチャートを参照しながら説明する。【０１４８】
まず、Ｓ１１において、放送制御局１の副放送データ決定部１４は、初期設定として予め定められたｍ個の本放送用チャンネル（例えば、１Ｃｈ〜ｍＣｈ）で放送されている本放送データと同内容の副放送データを、副放送用チャンネル（Ｓ１Ｃｈ〜ＳｍＣｈ）で放送すると決定する。そして、副放送データ決定部１４は、副放送すると決定した各副放送データについて、当該副放送データに対応する本放送用チャンネルと当該副放送データを放送する副放送用チャンネルとを対応付けた副放送情報を、データ変換部１５、割り当て情報付加部１６および送信制御部１７に出力する。【０１４９】
そして、データ変換部１５は、コンテンツデータ取得部１１が取得した本放送データの中から、副放送データ決定部１４から受けた副放送情報が示す本放送用チャンネルに対応する本放送データを抽出する。そして、データ変換部１５は、図６に示したように、抽出した本放送データを副放送データに変換する。【０１５０】
さらに、割り当て情報付加部１６は、各本放送データに対して、副放送データ決定部１４から受けた副放送情報に従って、副放送有無情報および副放送チャンネル情報を付加する。【０１５１】
その後、送信制御部１７は、割り当て情報付加部１６から受けた本放送データ、およびデータ変換部１５から受けた副放送用データを、放送用アンテナ２を用いて、放送する（Ｓ１２）。【０１５２】
なお、送信制御部１７は、本放送データについては、予め定められた本放送用チャンネルで放送する。一方、送信制御部１７は、各副放送データについて、副放送データ決定部１４が決定した副放送用チャンネルで放送する。【０１５３】
また、送信制御部１７は、副放送データについて、本放送データよりも誤り耐性の強い伝送モード（ここでは、低い変調レート（例えば、ＱＰＳＫ））で送信する。【０１５４】
次に、副放送データ決定部１４は、タイマ１８をリセットする（Ｓ１３）。その後、視聴情報処理部１２は、携帯端末３から視聴情報を取得したか否かを判断する（Ｓ１４）。【０１５５】
視聴情報を取得していない場合（Ｓ１４でＮｏ）、視聴情報処理部１２は、再度Ｓ１４の処理を繰り返す。【０１５６】
一方、視聴情報を取得した場合（Ｓ１４でＹｅｓ）、視聴情報処理部１２は、取得した視聴情報を取得時刻と対応付けて、視聴情報管理部１３に格納する（Ｓ１５）。【０１５７】
なお、視聴情報管理部１３では、現時刻よりも所定時間前の取得時刻に対応する視聴情報を削除する。【０１５８】
次に、副放送データ決定部１４は、タイマ１８を参照して、所定時間（例えば、５分）経過したか否かを判断する（Ｓ１６）。所定時間経過していない場合（Ｓ１６でＮｏ）、上記Ｓ１４の処理に戻る。【０１５９】
一方、所定時間経過した場合（Ｓ１６でＹｅｓ）、副放送データ決定部１４は、視聴情報管理部１３が管理する視聴情報に基づいて、視聴者数の上位１〜ｍ番目の本放送用チャンネルを特定する。そして、副放送データ決定部１４は、特定した本放送用チャンネルの組み合わせが、前回再放送用チャンネルに割り当てたコンテンツに対応する本放送用チャンネルの組み合わせと異なるか否かを判断する（Ｓ１７）。すなわち、副放送データ決定部１４は、各本放送用チャンネルを視聴者数の順に並べたときに、上位１〜ｍ番目の本放送用チャンネルの組み合わせに変動が生じた否かを判断する。【０１６０】
上位１〜ｍ番目の本放送用チャンネルの組み合わせに変動が生じていない場合（Ｓ１７でＮｏ）、Ｓ１３の処理に戻る。【０１６１】
一方、上位１〜ｍ番目の本放送用チャンネルの組み合わせに変動が生じた場合（Ｓ１７でＹｅｓ）、副放送データ決定部１４は、新たに特定した上位１〜ｍ番目の本放送用チャンネルで放送されている本放送データと同じ内容で、かつ、当該本放送データよりも低い変調レートの副放送データを、副放送用チャンネルで放送すると決定する（Ｓ１８）。【０１６２】
この際、副放送データ決定部１４は、今回副放送すると決定した本放送用チャンネルのうち、前回副放送すると決定した本放送用チャンネルと同じものに対応する副放送データについては、前回と同じ副放送用チャンネルで放送すると決定する。また、副放送データ決定部１４は、新たに副放送すると決定した本放送用チャンネルに対応する副放送データについては、残りの副放送用チャンネルの中からランダムに決定する。【０１６３】
そして、副放送データ決定部１４は、副放送すると決定した各副放送データについて、当該副放送データに対応する本放送用チャンネルと当該副放送データを放送する副放送用チャンネルとを対応付けた副放送情報を、データ変換部１５、割り当て情報付加部１６および送信制御部１７に出力する。【０１６４】
そして、データ変換部１５は、図６に示したように、副放送データ決定部１４から受けた副放送情報が示す本放送用チャンネルに対応する本放送データを、副放送データに変換する。さらに、割り当て情報付加部１６は、各本放送データに対して、副放送データ決定部１４から受けた副放送情報に従って、副放送有無情報および副放送チャンネル情報を付加する。【０１６５】
その後、Ｓ１２の処理に戻る。【０１６６】
以上のようにして、副放送データ決定部１４は、携帯端末３から受けた視聴情報に基づいて、各本放送用チャンネルの視聴者数を求める。そして、副放送データ決定部１４は、視聴者数の上位１〜ｍ番目までの本放送用チャンネルで放送されている本放送データと同内容の副放送データを、副放送用チャンネルＳ−１Ｃｈ〜Ｓ−ｍＣｈで副放送する。なお、副放送データ決定部１４は、副放送データを、所定時間（例えば、５分）ごとに決定する。【０１６７】
図１０は、副放送データ決定部１４における決定処理を時間経過を示す図である。なお、図１０は、ｍ＝１の場合の例を示している。図１０に示されるように、副放送データ決定部１４は、時刻Ｔにおいて、視聴者数の最も多い本放送用チャンネル１Ｃｈで放送されている本放送データと同内容の副放送データを副放送用チャンネルＳ１Ｃｈで放送すると決定する。【０１６８】
同様にして、副放送データ決定部１４は、所定時間ｔ後の時刻Ｔ＋ｔにおいて、視聴者数の最も多い本放送用チャンネル２Ｃｈで放送されている本放送データと同内容の副放送データを副放送用チャンネルＳ１Ｃｈで放送すると決定する。また、副放送データ決定部１４は、さらに所定時間ｔ後の時刻Ｔ＋２ｔにおいて、視聴者数の最も多い本放送用チャンネル３Ｃｈで放送されている本放送データと同内容の副放送データを副放送用チャンネルＳ１Ｃｈで放送すると決定する。【０１６９】
（本放送／副放送の切替処理）
次に、携帯端末３における本放送用チャンネル／副放送用チャンネルの切替処理の流れについて、図１１に示すフローチャートを参照しながら説明する。【０１７０】
まず、切替処理部５４は、起動時において、指定チャンネル取得部５１から受けた指定チャンネル情報が示す指定チャンネル（本放送用チャンネル）に対応する受信データ（本放送データ）をデコーダ部３６に復号化させる（Ｓ２１）。これにより、デコード部３６は、上記指定チャンネルに対応する本放送データから、映像データおよび音声データを復号化し、当該映像データおよび音声データの各々を、表示部４４およびスピーカ４５にて再生する。【０１７１】
次に、割り当て情報抽出部５３は、上記指定チャンネル情報が示す指定チャンネルに対応する本放送データに付加された割り当て情報（副放送有無情報および副放送チャンネル情報）を、デコード部３６から取得する。そして、割り当て情報抽出部５３は、当該割り当て情報を切替処理部５４に出力する（Ｓ２２）。【０１７２】
次に、受信品質判定部５２は、電界強度測定部３４が測定した電界強度が要求品質閾値以上であるか否かを判定し、判定結果を切替処理部５４に出力する（Ｓ２３）。【０１７３】
切替処理部５４は、受信品質判定部５２から受けた判定結果が「１」であるか否かを判断する（Ｓ２４）。なお、上述したように、判定結果「１」は、電界強度が要求品質閾値未満であり、受信品質が劣化していることを示す。【０１７４】
判定結果が「０」である場合（Ｓ２４でＮｏ）、制御部３７は、放送信号の受信停止指示が入力部４３に入力されたか否かを判断する（Ｓ３０）。受信停止指示が入力された場合（Ｓ３０でＹｅｓ）、制御部３７は処理を終了する。一方、受信停止指示が入力されていない場合（Ｓ３０でＮｏ）、Ｓ２１の処理に戻る。【０１７５】
一方、判定結果が「１」である場合（Ｓ２４でＹｅｓ）、切替処理部５４は、割り当て情報抽出部５３から受けた割り当て情報に含まれる副放送有無情報が「１」であるか否かを判断する（Ｓ２５）。なお、上述したように、副放送有無情報「１」は、指定チャンネルで放送されている本放送データと同内容の副放送データが副放送用チャンネルで放送されていることを示す。【０１７６】
副放送有無情報が「０」である場合（Ｓ２５でＮｏ）、Ｓ３０の処理に移行する。【０１７７】
一方、副放送有無情報が「１」である場合（Ｓ２５でＹｅｓ）、切替処理部５４は、割り当て情報抽出部５３から受けた副放送チャンネル情報が示す副放送用チャンネルの受信データ（副放送データ）をデコーダ部３６に復号化させる（Ｓ２６）。これにより、デコード部３６は、上記副放送チャンネル情報が示す副放送用チャンネルに対応する副放送データから、映像データおよび音声データを復号化し、当該映像データおよび音声データの各々を、表示部４４およびスピーカ４５にて再生する。【０１７８】
続いて、割り当て情報抽出部５３は、上記Ｓ２２と同様に、指定チャンネルに対応する本放送データに付加された割り当て情報を、再度デコード部３６から取得し、当該割り当て情報を切替処理部５４に出力する（Ｓ２７）。【０１７９】
さらに、受信品質判定部５２は、上記Ｓ２３と同様に、再度、電界強度測定部３４が測定した電界強度が要求品質閾値以上であるか否かを判定し、判定結果を切替処理部５４に出力する（Ｓ２８）。【０１８０】
その後、切替処理部５４は、受信品質判定部５２から受けた判定結果が「０」であるか否か、つまり、電界強度が要求品質閾値以上に改善されたか否かを判断する（Ｓ２９）。【０１８１】
判定結果が「０」である場合（Ｓ２９でＹｅｓ）、上記Ｓ３０の処理に移行する。一方、判定結果が「０」でない場合（Ｓ２９でＮｏ）、上記Ｓ２５に戻る。【０１８２】
図１２および図１３は、切替処理部５４における切替処理の一例を示す図である。【０１８３】
図１２は、指定チャンネルに対応する副放送データが副放送用チャンネルで継続して放送されている場合の例である。【０１８４】
図１２に示されるように、電界強度が要求品質閾値以上である場合、切替処理部５４は、受信品質判定部５２が判定結果「０」を受けるため、指定チャンネルで放送されている本放送データをデコード部３６に再生させる。【０１８５】
一方、電界強度が要求品質閾値未満になると、切替処理部５４は、受信品質判定部５２が判定結果「１」を受けるため、指定チャンネルに対応する副放送用チャンネルを割り当て情報が読み取り、読み取った副放送用チャンネルで放送されている副放送データをデコード部３６に再生させる。上述したように、副放送データは、本放送データと比較して、誤り耐性の強い伝送モード（ここでは、低い変調レートの伝送モード）で放送されている。【０１８６】
電界強度が要求品質閾値未満である本放送データを再生した場合、クリフエフェクトに従って、映像が急激に劣化する。しかしながら、電界強度が要求品質閾値未満である場合、切替処理部５４は、変調レートが低い副放送データをデコード部３６に再生させる。そのため、復調部３３が副放送データを正常に復調することができ、映像の乱れが、電界強度が要求品質閾値未満である本放送データを再生する場合に比べて、少なくなる。【０１８７】
ただし、本放送用チャンネルよりも小さい帯域で副放送データを流すため、副放送データは、本放送データよりも解像度およびフレームレートを低くしている。そのため、副放送データの映像や音声の品質は、電界強度は要求品質閾値以上である本放送データを再生する場合よりも低い。【０１８８】
図１３は、指定チャンネルに対応する副放送データが、副放送用チャンネルで放送される期間Ｐ１と、放送されない期間Ｐ０が交互に繰り返されている場合の例である。【０１８９】
図１３に示されるように、期間Ｐ１においては、切替処理部５４は、電界強度が要求品質閾値以上である場合（例えばＴ０）、受信品質判定部５２が判定結果「０」を受けるため、指定チャンネルで放送されている本放送データをデコード部３６に再生させる。一方、切替処理部５４は、電界強度が要求品質閾値未満の場合（例えばＴ１）、受信品質判定部５２が判定結果「１」を受けるため、指定チャンネルに対応する副放送用チャンネルを割り当て情報が読み取り、読み取った副放送用チャンネルで放送されている副放送データをデコード部３６に再生させる。【０１９０】
また、期間Ｐ０においては、切替処理部５４は、受信品質判定部５２からの判定結果に関わらず、割り当て情報の副放送有無情報が無（「０」）であるため、指定チャンネルで放送されている本放送データをデコード部３６に再生させる。すなわち、切替処理部５４は、電界強度が要求品質閾値未満の場合（例えばＴ２）でも、指定チャンネルで放送されている本放送データをデコード部３６に再生させる。【０１９１】
以上のように、本実施形態の放送システムは、複数の本放送データを放送用下り回線を用いて放送する放送制御局１と、本放送データを受信する携帯端末３とを備える。【０１９２】
そして、携帯端末３は、複数の本放送データのうちの１つを、本放送用チャンネル（指定チャンネル）を用いて指定する指定チャンネル取得部（コンテンツ指定手段）５１および入力部（コンテンツ指定手段）４３と、放送制御局１に対して、上記指定チャンネルを示す視聴情報を送信する高周波送受信部（送信手段）４１とを備える。【０１９３】
また、放送制御局１は、携帯端末３から視聴情報を取得する視聴情報処理部（指定コンテンツ情報取得手段）１２と、視聴情報処理部１２が取得した視聴情報を集計し、その集計結果に基づいて、Ｎ個の本放送データの中から、所定数（ｍ：ｍ＜Ｎ）の本放送データを選択する副放送データ決定部（選択手段）１４と、副放送データ決定部１４が選択した本放送データと同じコンテンツを示す副放送データ（第２コンテンツデータ）を生成するデータ変換部（第２コンテンツデータ取得／生成手段）１５と、データ変換部１５が生成した副放送データを、本放送データよりも誤り耐性の強い伝送モードで、上記放送用下り回線の予め定められた特定帯域（副放送用チャンネルに割り当てられた帯域のことである）を共用して放送する送信制御部（送信制御手段）１７とを備える。【０１９４】
なお、送信制御部１７は、副放送データが複数ある場合、上記特定帯域のうちの任意の帯域を用いて、これら副放送データを放送する。また、上記特定帯域は、副放送用チャンネル全体に対して予め定められた帯域である。つまり、上記特定帯域は、副放送データ全体で共用して使用されるものである。【０１９５】
さらに、携帯端末３は、本放送データ、および、副放送データを受信する高周波受信部（受信手段）３２および復調部（受信手段）３３と、高周波受信部３２における受信状態に対応する電界強度（特徴量）を測定する電界強度測定部（受信品質測定手段）３４と、電界強度測定部３４が測定した電界強度と予め定められた要求品質閾値との比較に基づいて、受信品質の良否を判定する受信品質判定部（受信品質判定手段）５２と、上記本放送データまたは副放送データを再生するデコーダ部（再生手段）３６、表示部（再生手段）４４およびスピーカ（再生手段）４５と、受信品質判定部５２において受信品質が良であると判定された場合、指定チャンネル取得部５１が取得した指定チャンネルに対応する本放送データを再生させ、受信品質判定部５２において受信品質が不良であると判定され、かつ、指定チャンネル取得部５１が取得した指定チャンネルに対応する副放送データを受信していない場合、指定チャンネル取得部５１が取得した指定チャンネルに対応する本放送データを再生させ、受信品質判定部５２において受信品質が不良であると判定され、かつ、指定チャンネル取得部５１が取得した指定チャンネルに対応する副放送データを受信している場合、指定チャンネル取得部５１が取得した指定チャンネルに対応する副放送データを再生させる切替処理部５４とを備える。【０１９６】
ここで、本放送データは、副放送データよりも誤り耐性が弱い伝送モード（すなわち、伝送レートが高い）であるため、コンテンツデータ自体の品質を高くすることができ、受信状態が良い場合、副放送データよりも優れた品質の映像や音声を提供できる。ただし、本放送データは、電界強度が上記要求品質閾値より悪くなると、クリフエフェクトにより、急激に映像や音声が乱れる。一方、副放送データは、本放送データよりも誤り耐性が強い伝送モードである。そのため、副放送データは、電界強度が上記閾値より悪くても、ある程度正常に復調することができる。【０１９７】
これにより、携帯端末３は、本放送データを正常に復調できずに、急激に映像等が乱れたとしても、副放送データがある場合には、当該副放送データを再生できるので、視聴者の満足度を向上することができる。その結果、携帯端末３は、従来のように個別通信を用いた再送要求を行う必要が少なくなり、双方向回線を有効に活用することができる。【０１９８】
なお、上記の説明では、本放送用チャンネルの数（Ｎ）よりも、副放送用チャンネルの数（ｍ）を少ないものとして説明した。しかしながら、ｍ＝Ｎであってもよい。【０１９９】
この場合、放送制御局１では、視聴情報処理部１２、視聴情報管理部１３および副放送データ決定部１４が不要となる。データ圧縮部１５は、全ての本放送データに対応する副放送データを生成する。また、送信制御部１７は、生成された副放送データを予め定められた副放送用チャンネルで放送すればよい。【０２００】
すなわち、放送制御局１は、本放送データ（第１コンテンツデータ）と同じコンテンツを示す副放送データ（第２コンテンツデータ）を生成するデータ変換部（第２コンテンツデータ取得／生成手段）１５と、データ変換部１５が生成した副放送データを、本放送データよりも誤り耐性が強い伝送モードで、上記放送用下り回線の特定帯域を共用して放送する送信制御部（送信制御手段）１７とを備えればよい。【０２０１】
また、携帯端末３では、視聴情報生成部３８が不要となる。【０２０２】
すなわち、携帯端末３は、本放送データ、および、副放送データを受信する高周波受信部（受信手段）３２および復調部（受信手段）３３と、高周波受信部３２における受信状態に対応する電界強度（特徴量）を測定する電界強度測定部（受信品質測定手段）３４と、電界強度測定部３４が測定した電界強度と予め定められた要求品質閾値との比較に基づいて、受信品質の良否を判定する受信品質判定部（受信品質判定手段）５２と、上記本放送データまたは副放送データを再生するデコーダ部（再生手段）３６、表示部（再生手段）４４およびスピーカ（再生手段）４５と、受信品質判定部５２において受信品質が良であると判定された場合、指定チャンネル取得部５１が取得した指定チャンネルに対応する本放送データを再生させ、受信品質判定部５２において受信品質が不良であると判定された場合、指定チャンネル取得部５１が取得した指定チャンネルに対応する副放送データを再生させる切替処理部５４とを備えればよい。【０２０３】
〔実施形態２〕
本発明の他の実施形態について、図１４ないし図１７に基づいて説明すれば、以下のとおりである。なお、説明の便宜上、前記実施形態にて説明した図面と同じ機能を有する部材については、同じ符号を付記し、その説明を省略する。【０２０４】
上記実施形態１では、放送制御局１が、放送用アンテナ２を用いて、本放送データと副放送データとを並行して放送するものとした。しかしながら、副放送データは、他の回線を用いてマルチキャスト配信されてもよい。【０２０５】
本実施形態は、基地局４から副放送データをマルチキャスト配信するものである。図１４は、本実施形態２に係る放送システムの構成を示すブロック図である。図１４に示されるように、本実施形態２の放送システムは、上記実施形態１と比較して、放送制御局１の代わりに放送制御局１０１を、携帯端末３の代わりに携帯端末（受信装置）１０３を備え、さらに基地局制御装置（制御局）６を備える点で異なる。【０２０６】
なお、基地局制御装置６は、副放送データを基地局４からマルチキャスト配信するものであり、基地局４を介して、携帯端末２０３を通信することができる。また、基地局制御装置６は、通信ネットワークＮに接続されており、コンテンツサーバ５から本放送データを取得することができる。【０２０７】
（放送制御局の構成）
本実施形態の放送制御局１０１は、図１５に示されるように、コンテンツデータ取得部１１、割り当て情報付加部１１６および放送制御部１７を備える。【０２０８】
なお、割り当て情報付加部１１６は、各本放送データに対して、予め定められている本放送用チャンネルを示す割り当て情報を付加するものである。【０２０９】
このように、放送制御局１０１では、コンテンツデータ取得部１１が本放送データを取得し、送信制御部１７が当該本放送データを所定の本放送用チャンネルで放送する。【０２１０】
（基地局制御装置の構成）
図１６は、基地局制御装置６の構成を示すブロック図である。図示されるように、基地局制御装置６は、上記実施形態１において放送制御局１とほぼ同様の構成を備えるものであり、当該放送制御局１と比較して、割り当て情報付加部１６の代わりに割り当て情報付加部６６と、送信制御部１７の代わりに送信制御部（配信手段）６７を備える点で異なる。【０２１１】
なお、基地局制御装置６が備えるコンテンツデータ取得部１１は、コンテンツサーバ５から、各本放送用チャンネルに対応する本放送データを取得し、取得した本放送データをデータ変換部１５にのみ出力する。また、本実施形態のデータ変換部１５は、生成した副放送データを割り当て情報付加部６６に出力する。【０２１２】
割り当て情報付加部６６は、データ変換部１５にて生成された副放送データに対して、副放送データ決定部１４から受けた副放送情報に基づいて、当該副放送データが配信される副放送用チャンネルと、当該副放送データと同内容の本放送データが放送されている本放送用チャンネルを示す割り当て情報を付加するものである。そして、割り当て情報付加部６６は、割り当て情報を付加した副放送データを送信制御部６７に出力する。【０２１３】
送信制御部６７は、割り当て情報付加部６６から受けた副放送データを、副放送データ決定部１４が決定した副放送用チャンネルで、基地局４からマルチキャスト配信するものである。なお、送信制御部６７は、放送用アンテナ２から放送されている本放送データよりも低い変調方式で副放送データを変調し、当該副放送データを送信するものとする。【０２１４】
（携帯端末の構成）
図１７は、本実施形態の携帯端末１０３の構成を示すブロック図である。図１７に示されるように、携帯端末１０３は、上記携帯端末３と比較して、デコード部３６の代わりにデコード（再生手段）１３６を、変復調部４０の代わりに変復調部（第２受信手段）１４０を、高周波送受信部４１の代わりに高周波送受信部（第２受信手段）１４１を、割り当て情報抽出部５３の代わりに割り当て情報抽出部１５３を、切替処理部５４の代わりに切替処理部（再生コンテンツ切替手段）１５４を備える点で異なる。【０２１５】
高周波送受信部１４１は、上記高周波送受信部４１の機能に加えて、基地局制御装置６からマルチキャスト配信されている副放送データを、基地局４を介して受信する機能を有する。【０２１６】
変復調部１４０は、上記変復調部１４０の機能に加えて、高周波送受信部１４１が受信した副放送データを復調し、デコード部１３６へ出力する機能を有する。【０２１７】
デコード部１３６は、復調部３３からの本放送データ、または、変復調部１４０からの副放送データを、映像データおよび音声データへと復号化して、それぞれを表示部４４およびスピーカ４５に出力するものである。ただし、デコーダ部３６は、切替処理部１５４から指示されたチャンネルに対応する放送データを映像データおよび音声データへと復号化する。デコーダ部３６は、各副放送データから割り当て情報を抽出し、抽出した割り当て情報を割り当て情報抽出部１５３に出力する。【０２１８】
割り当て情報抽出部１５３は、各副放送データから抽出された割り当て情報を、デコード部１３６から取得する。そして、割り当て情報抽出部１５３は、取得した割り当て情報と、指定チャンネル取得部５１から受けた指定チャンネル情報とを対比し、指定チャンネルと同じ本放送チャンネルを示す割り当て情報があるか否かを判定する。【０２１９】
指定チャンネルと同じ本放送チャンネルを示す割り当て情報がない場合、割り当て情報抽出部１５３は、副放送データがないことを示す副放送有無情報（＝「０」）を切替処理部１５４に出力する。【０２２０】
一方、指定チャンネルと同じ本放送チャンネルを示す割り当て情報がある場合、割り当て情報抽出部１５３は、副放送データがあることを示す副放送有無情報（＝「１」）、および、当該割り当て情報が示す副放送用チャンネルを示す副放送チャンネル情報を切替処理部１５４に出力する。【０２２１】
切替処理部１５４は、受信品質判定部５２からの判定結果、および、割り当て情報抽出部１５３からの副放送有無情報および副放送チャンネル情報に基づいて、どのチャンネルの放送データからデコードされたデータ（映像データおよび音声データ）を表示部４４およびスピーカ４５に出力させるかを決定する。そして、切替処理部１５４は、決定内容に応じて、デコード部１３６を制御する。【０２２２】
このように、本実施形態では、携帯端末１０３は、本放送データとは異なる回線で、副放送データを受信する。そして、切替処理部１５４は、受信品質判定部５２の判定結果に応じて、指定チャンネルで放送されている本放送データと同内容の副放送データが、基地局４からマルチキャスト配信されている副放送データを再生させる。【０２２３】
電界強度が要求品質閾値未満である本放送データを再生した場合、クリフエフェクトに従って、映像が急激に劣化する。しかしながら、電界強度が要求品質閾値未満である場合、切替処理部１５４は、基地局４からマルチキャスト配信されている副放送データを再生させるように、デコード部１３６を制御する。そのため、映像の乱れが、電界強度が要求品質閾値未満である本放送データを再生する場合に比べて、少なくなる。【０２２４】
なお、本実施形態の場合、送信制御部６７は、必ずしも、本放送データよりも誤り耐性の強い伝送モードで副放送データを送信する必要はない。なぜなら、本放送データと副放送データとは異なる回線で放送（配信）されるため、本放送データの受信品質が悪いからといって、副放送データの受信品質が悪いとはかぎらないからである。【０２２５】
ただし、本放送を補助する副放送という観点から確実に端末が復調できるように、送信制御部６７は、本放送データよりも誤り耐性の強い伝送モードを副放送データに適用することが好ましい。【０２２６】
以上のように、本実施形態２の放送システムは、複数の本放送データ（第１コンテンツデータ）を放送用下り回線を用いて放送する放送制御局１０１と、本放送データを受信する携帯端末（受信装置）１０３と、携帯端末１０３に対してデータ配信を行う基地局制御装置６とを備える。【０２２７】
そして、携帯端末１０３、上記複数の本放送データのうち１つを指定する指定チャンネル取得部（コンテンツ指定手段）５１と、基地局制御装置６に対して、指定チャンネル取得部５１によって指定される本放送データを示す視聴情報を送信する視聴情報生成部（送信手段）３８、高周波送受信部（送信手段）１４１とを備える。【０２２８】
また、基地局制御装置６は、携帯端末１０３から視聴情報を取得する視聴情報処理部（指定コンテンツ情報取得手段）１２と、取得した視聴情報を集計し、その集計結果に基づいて、上記複数（Ｎ個）の本放送データの中から、所定数（ｍ）の本放送データを選択する副放送データ決定部（選択手段）１４と、副放送データ決定部１４が選択した本放送データと同じコンテンツを示す副放送データ（第２コンテンツデータ）を生成するデータ変換部（第２コンテンツデータ取得／生成手段）１５と、データ変換部１５が生成した副放送データを、上記放送用下り専用回線と異なる回線を用いて、携帯端末１０３にマルチキャスト配信する送信制御部（配信手段）６７とを備える。【０２２９】
さらに、携帯端末１０３は、本放送データを受信する高周波受信部（第１受信手段）３２および復調部（第１受信手段）３３と、副放送データを受信する高周波送受信部（第２受信手段）１４１と、高周波受信部３２における電界強度を測定する電界強度測定部（受信品質測定手段）３４と、測定した電界強度と予め定められた要求品質閾値との比較に基づいて、受信品質の良否を判定する受信品質判定部（受信品質判定手段）５２と、上記本放送データまたは副放送データを再生するデコーダ部（再生手段）３６、表示部（再生手段）４４およびスピーカ（再生手段）４５と、受信品質判定部５２において受信品質が良であると判定された場合、指定チャンネル取得部５１が取得した指定チャンネルに対応する本放送データを再生させ、受信品質判定部５２において受信品質が不良であると判定され、かつ、指定チャンネル取得部５１が取得した指定チャンネルに対応する副放送データを受信していない場合、指定チャンネル取得部５１が取得した指定チャンネルに対応する本放送データを再生させ、受信品質判定部５２において受信品質が不良であると判定され、かつ、指定チャンネル取得部５１が取得した指定チャンネルに対応する副放送データを受信している場合、指定チャンネル取得部５１が取得した指定チャンネルに対応する副放送データを再生させる切替処理部５４とを備える。【０２３０】
上記の構成によれば、携帯端末１０３では、第１受信手段が本放送データを、第２受信手段が副放送データを受信する。本放送データと副放送データとは、異なる回線を用いて放送（配信）されている。そのため、ダイバーシチ効果により、いずれも正常に再生できなくなる確率が極端に減少する。【０２３１】
これにより、携帯端末１０３は、本放送データを正常に復調できずに、急激に映像等が乱れたとしても、副放送データがある場合には、異なる回線でマルチキャスト配信されている当該副放送データを再生できるので、ダイバーシチ効果により、視聴に支障をもたらす可能性が極端に低くなる。その結果、携帯端末１０３は、従来のように個別通信を用いた再送要求を行う必要が少なくなり、双方向回線を有効に活用することができる。【０２３２】
なお、上記の説明では、本放送用チャンネルの数（Ｎ）よりも、副放送用チャンネルの数（ｍ）を少ないものとして説明した。しかしながら、ｍ＝Ｎであってもよい。【０２３３】
この場合、基地局制御装置６では、視聴情報処理部１２、視聴情報管理部１３および副放送データ決定部１４が不要となる。データ圧縮部１５は、全ての本放送データに対応する副放送データを生成する。また、送信制御部６７は、生成された副放送データを予め定められた副放送用チャンネルで放送すればよい。【０２３４】
すなわち、基地局制御装置１は、本放送データ（第１コンテンツデータ）と同じコンテンツを示す副放送データ（第２コンテンツデータ）を生成するデータ変換部（第２コンテンツデータ取得／生成手段）１５と、上記放送用下り専用回線と異なる回線を用いて、携帯端末１０３にマルチキャスト配信する送信制御部（配信手段）６７とを備えればよい。【０２３５】
また、携帯端末１０３では、視聴情報生成部３８が不要となる。
携帯端末１０３は、本放送データを受信する高周波受信部（第１受信手段）３２および復調部（第１受信手段）３３と、副放送データを受信する高周波送受信部（第２受信手段）１４１と、高周波受信部３２における電界強度を測定する電界強度測定部（受信品質測定手段）３４と、測定した電界強度と予め定められた要求品質閾値との比較に基づいて、受信品質の良否を判定する受信品質判定部（受信品質判定手段）５２と、上記本放送データまたは副放送データを再生するデコーダ部（再生手段）３６、表示部（再生手段）４４およびスピーカ（再生手段）４５と、受信品質判定部５２において受信品質が良であると判定された場合、指定チャンネル取得部５１が取得した指定チャンネルに対応する本放送データを再生させ、受信品質判定部５２において受信品質が不良であると判定された場合、指定チャンネル取得部５１が取得した指定チャンネルに対応する副放送データを再生させる切替処理部５４とを備えればよい。【０２３６】
〔実施形態３〕
上記実施形態１では、携帯端末３は、自身の現在位置に関わらず、視聴情報を生成し、放送制御局１に送信するものとした。一方で、放送用アンテナ２の設置箇所によって、受信品質の劣化が生じ易い地域（監視地域）が存在する。【０２３７】
本実施形態３は、各携帯端末が、自身が監視地域に存在する場合にのみ、視聴情報を放送制御局１に送信するものである。これにより、放送制御局１の副放送データ決定部１４は、本放送用チャンネルごとに、当該チャンネルがユーザによって指定されており、かつ、監視地域に存在する携帯端末数を集計し、集計結果に基づいて、どの本放送用チャンネルに対応する副放送データを副放送するかを決定することができる。【０２３８】
その結果、監視地域に存在する携帯端末３の多くにおいて、電界強度が要求品質閾値よりも低くなった場合に、切替処理部５４は、指定チャンネルに対応する副放送データが放送されている副放送用チャンネルに切り替えることができる。【０２３９】
本実施形態３の具体的構成は、以下のとおりである。なお、本実施形態の放送システムは、図２に示した構成とほぼ同様である。ただし、携帯端末３の代わりに携帯端末（受信装置）２０３を備える。【０２４０】
図１８は、放送地域を示す図である。図１８において、符号２Ｅで示した放送地域の中心に、放送用アンテナ２が設置されている。そして、放送地域２Ｅの周縁部は、放送用アンテナ２からの距離が長いため、電界強度の劣化が予想される領域である。【０２４１】
また、符号４Ｅ−ａ，ｂは、基地局４のエリアを示すものであり、各エリア４Ｅの中心に基地局４が設置されている。なお、エリア４Ｅ−ａは、放送用アンテナ２の放送地域２Ｅの周縁部に位置するものであり、エリア４Ｅ−ｂは、放送地域２Ｅの周縁部以外に位置するものである。【０２４２】
エリア４Ｅ−ａの基地局４は、当該エリア４Ｅ−ａ内に位置する携帯端末から、監視情報要求を取得した場合、放送地域２Ｅの周縁部であること（つまり、監視地域であること）を示す監視情報Ｗ（＝「１」）を携帯端末に返信するように設定されている。また、エリア４Ｅ−ｂの基地局４は、当該エリア４Ｅ−ｂ内に位置する携帯端末３から、監視情報要求を取得した場合、放送地域２Ｅの周縁部でないこと（つまり、監視地域でないこと）を示す監視情報Ｗ（＝「０」）を携帯端末３に返信するように設定されている。【０２４３】
本実施形態の放送制御局１は、上記実施形態１の放送制御局１と同様の構成を有するものであり、ここでは、説明を省略する。【０２４４】
（携帯端末の構成）
図１９は、本実施形態に係る携帯端末２０３の構成を示すブロック図である、図１９に示されるように、携帯端末２０３は、上記実施形態１と比較して、視聴情報生成部３８の代わりに視聴情報生成部（送信手段）２３８を備え、さらに、ＧＰＳ受信部（位置情報取得手段）４７および監視情報要求生成部４８を備える点で異なる。【０２４５】
ＧＰＳ受信部４７は、ＧＰＳ（Global Positioning System）を用いて、現在位置を示す位置情報を取得するものである。ＧＰＳ受信部４７は、取得した位置情報を監視情報要求生成部４８に出力する。【０２４６】
監視情報要求生成部４８は、基地局４に対して、監視情報Ｗの返信を要求する監視情報要求を生成するものである。監視情報要求生成部４８は、生成した監視情報要求を、エンコード部３９に出力する。これにより、監視情報要求は、エンコード部３９にてエンコードされ、変復調部４０にて変調され、高周波送受信部４１にて基地局４に送信される。【０２４７】
監視情報要求生成部４８は、監視情報要求を前回生成したときの位置情報（前回位置情報Ｌ）を記憶しておき、当該前回位置情報Ｌと、ＧＰＳ受信部４７から入力される位置情報とを比較する。そして、監視情報要求生成部４８は、前回位置情報Ｌが０の場合、もしくは、前回位置情報Ｌから所定距離（例えば５００ｍ）以上だけ移動した場合、監視情報要求を生成する。【０２４８】
なお、上述したにように、エリア４Ｅ−ａの基地局４は、監視地域であることを示す監視情報Ｗ（＝「１」）を携帯端末２０３に返信する。また、エリア４Ｅ−ｂの基地局４は、監視地域でないことを示す監視情報Ｗ（＝「０」）を携帯端末２０３に返信する。【０２４９】
また、デコード部３６は、返信された監視情報を、送受信アンテナ４２、高周波送受信部４１および変復調部４０を介して、取得し、デコードする。【０２５０】
視聴情報生成部２３８は、上記視聴情報生成部３８の機能に加えて、デコード部３６から監視情報Ｗを取得し、当該監視情報Ｗに基づいて、視聴情報を生成するか否かを決定する機能を有するものである。【０２５１】
（監視情報の要求・受信処理）
次に、本実施形態の携帯端末２０３における監視情報Ｗの要求・受信処理の流れについて、図２０のフローチャートを参照しながら説明する。【０２５２】
まず、監視情報要求生成部４８は、起動時において、前回位置情報Ｌをデフォルト値（ここでは、０とする）に設定する（Ｓ３１）。【０２５３】
次に、ＧＰＳ受信部４７は、ＧＰＳを用いて、現在の位置情報（ここでは、ＸＹとする）を取得し、取得した位置情報を監視情報要求生成部４８に出力する（Ｓ３２）。【０２５４】
続いて、監視情報要求生成部４８は、ＧＰＳ受信部４７から受けた現在の位置情報と、前回位置情報Ｌとに基づいて、前回位置情報Ｌ＝０であるか否か、および、前回位置情報Ｌから５００ｍ以上移動したか否かを判断する（Ｓ３３）。【０２５５】
前回位置情報Ｌ＝０でなく、かつ、前回位置情報Ｌから５００ｍ以上移動していない場合（Ｓ３３でＮｏ）、監視情報要求生成部４８は、入力部４３にテレビ放送の受信停止指示が入力されたか否かを判断する（Ｓ３６）。受信停止指示が入力された場合（Ｓ３６でＹｅｓ）、監視情報要求生成部４８は、処理を終了する。受信停止指示が入力されない場合（Ｓ３６でＮｏ）、Ｓ３２の処理に戻る。【０２５６】
一方、前回位置情報Ｌ＝０である場合、または、前回位置情報Ｌから５００ｍ以上移動した場合（Ｓ３３でＹｅｓ）、監視情報要求生成部４８は、上記監視情報要求を生成する。そして、高周波送受信部４１は、エンコードおよび変調が行われた監視情報要求を、携帯端末２０３が属するエリア４Ｅ−ａ，ｂの基地局４に送信する（Ｓ３４）。【０２５７】
その後、高周波送受信部４１は、上記監視情報要求に対して返信された監視情報Ｗを受信する（Ｓ３５）。そして、上記Ｓ３６の処理に移行する。【０２５８】
（視聴情報の送信処理）
次に、携帯端末２０３における視聴情報の送信処理の流れについて、図２１のフローチャートを参照しながら説明する。【０２５９】
まず、携帯端末２０３において、放送の受信開始指示および指定チャンネルが入力部４３に入力されると、視聴情報生成部２３８は、上記監視情報の受信処理によって受信した監視情報Ｗを、デコード部３６から取得する。そして、視聴情報生成部２３８は、監視情報Ｗが０か１のいずれであるかを判断する（Ｓ４１）。【０２６０】
Ｗ＝０である場合、制御部３７は、地上波デジタルテレビ放送の受信停止指示が入力部４３に入力されたか否かを判断する（Ｓ５１）。受信停止指示が入力された場合（Ｓ５１でＹｅｓ）、制御部３７は処理を終了する。受信停止指示が入力されない場合（Ｓ５１でＮｏ）、再度Ｓ４１の処理を繰り返す。【０２６１】
一方、Ｗ＝１である場合、視聴情報生成部２３８は、指定チャンネル取得部５１から、現在の指定チャンネルを示す情報を取得する（Ｓ４２）。【０２６２】
次に、視聴情報生成部２３８は、指定チャンネル取得部５１から伝達された指定チャンネルを示す視聴情報を生成する。そして、高周波送受信部４１は、変調された視聴情報を、送受信アンテナ４２および通信ネットワークＮを介して、放送制御局１に送信する（Ｓ４３）。【０２６３】
次に、視聴情報生成部２３８は、タイマ４６をリセットする（Ｓ４４）。その後、視聴情報生成部２３８は、最新の監視情報Ｗをデコード部３６から取得する。そして、視聴情報生成部２３８は、最新の監視情報Ｗが０か１のいずれであるかを判断する（Ｓ４５）。【０２６４】
監視情報Ｗ＝０である場合、上記Ｓ５１の処理に移行する。【０２６５】
監視情報Ｗ＝１である場合、制御部３７は、再度、地上波デジタルテレビ放送の受信停止指示が入力部４３に入力されたか否かを判断する（Ｓ４６）。【０２６６】
受信停止指示が入力された場合（Ｓ４６でＹｅｓ）、制御部３７は処理を終了する。【０２６７】
受信停止指示が入力されない場合（Ｓ４６でＮｏ）、指定チャンネル取得部５１は、入力部４３に指定チャンネルの変更指示が入力されたか否かを判断する（Ｓ４７）。【０２６８】
指定チャンネルの変更指示が入力されない場合（Ｓ４７でＮｏ）、Ｓ４９の処理に移る。【０２６９】
一方、指定チャンネルの変更指示が入力された場合（Ｓ４７でＹｅｓ）、指定チャンネル取得部５１は、変更後の指定チャンネルを示す指定チャンネル情報を入力部４３から取得する。そして、指定チャンネル取得部５１は、取得した指定チャンネル情報が示す指定チャンネルを視聴情報生成部２３８に伝達する（Ｓ４８）。【０２７０】
その後、Ｓ４９において、視聴情報生成部２３８は、タイマ４６を参照して、所定時間（例えば５００ｍｓ）経過したか否かを判断する。所定時間経過していない場合（Ｓ４９でＮｏ）、Ｓ４５の処理に戻る。【０２７１】
一方、所定時間経過した場合（Ｓ４９でＹｅｓ）、視聴情報生成部２３８は、指定チャンネル取得部５１から伝達された最新の指定チャンネルを示す視聴情報を生成する。そして、高周波送受信部４１は、変調された視聴情報を、送受信アンテナ４２および通信ネットワークＮを介して、放送制御局１に送信する（Ｓ５０）。その後、Ｓ４４の処理に戻る。【０２７２】
以上のような処理により、視聴情報生成部２３８は、監視情報Ｗ＝１の場合、つまり、携帯端末３が監視地域に存在する場合にのみ、所定時間ごとに、ユーザによって現在指定されている指定チャンネルを示す視聴情報を、放送制御局１に送信することができる。【０２７３】
そして、放送制御局１の副放送データ決定部１４は、本放送用チャンネルごとに、当該チャンネルがユーザによって指定されており、かつ、監視地域に存在する携帯端末数を集計し、集計結果に基づいて、どの本放送用チャンネルに対応する副放送データを副放送するかを決定する。【０２７４】
これにより、監視地域に存在する携帯端末３の多くにおいて、電界強度が要求品質閾値よりも低くなった場合に、切替処理部５４は、指定チャンネルに対応する副放送データが放送されている副放送用チャンネルに切り替えることができる。【０２７５】
〔変形例〕
（切替処理の変形例）
上記説明では、携帯端末３・１０３・２０３において、受信品質判定部５２は、電界強度が要求品質閾値以上か否かにより、受信品質の良否を判定するものとした。しかしながら、受信品質判定部５２は、誤り検出部３５が検出した誤り率と、所定の要求品質閾値とを比較して、受信品質の良否を判定してもよい。【０２７６】
この場合、切替処理部５４・１５４は、誤り率が閾値以上であり、かつ、副放送有無情報が有（「１」）を示す場合に、割り当て情報抽出部５３・１５３から受けた副放送チャンネル情報が示す副放送用チャンネルで放送（配信）されている副放送データを再生するように、デコーダ部３６を制御する。【０２７７】
（割り当て情報付加部の変形例）
上記実施形態１・３では、割り当て情報付加部１６は、各本放送データに対して、放送される本放送用チャンネル、副放送データの放送の有無、および、副放送される副放送用チャンネルを示す割り当て情報を付加するものとした。しかしながら、割り当て情報付加部１６は、データ変換部１５が生成した各副放送データに対して、当該副放送データに対応する本放送用チャンネルを示す割り当て情報を付加してもよい。この場合、副放送用チャンネルを確認することにより本放送用チャンネルを認識することができる。これにより、本放送用チャンネルの番組宣伝の効果を奏する。【０２７８】
そして、携帯端末３・２０３では、割り当て情報抽出部５３が、各副放送データから抽出した割り当て情報の中から、指定チャンネル取得部５１から受けた指定チャンネル情報が示す指定チャンネルと同じ本放送用チャンネルを示す割り当て情報を検索する。【０２７９】
当該割り当て情報がない場合には、指定チャンネルに対応する副放送データがないため、割り当て情報抽出部５３は、副放送有無情報「０」を切替処理部５４に出力すればよい。【０２８０】
また、当該割り当て情報がある場合には、割り当て情報抽出部５３は、副放送有無情報「１」を切替処理部５４に出力すればよい。このとき、割り当て情報抽出部５３は、当該割り当て情報を持つ副放送データの副放送用チャンネルを示す副放送チャンネル情報を切替処理部５４に出力すればよい。【０２８１】
また、上記実施形態２では、基地局制御装置６の割り当て情報付加部６６は、各副放送データに対して、当該副放送データと同内容の本放送データが放送されている本放送用チャンネルを示す割り当て情報を付加するものとした。しかしながら、これに限らず、放送制御局１の割り当て情報付加部１１６が、基地局制御装置６から副放送情報を取得し、取得した副放送情報に従って、上記割り当て情報付加部１６と同様の処理を行ってもよい。【０２８２】
この場合、携帯端末１０３の割り当て情報抽出部１５３は、上記実施形態１の割り当て情報抽出部５３と同様の処理を行えばよい。【０２８３】
（視聴情報の生成、および、副放送データの決定処理の変形例１）
また、上記説明では、携帯端末３・１０３の視聴情報生成部３８は、指定チャンネルを示す視聴情報を生成するものとした。【０２８４】
しかしながら、視聴情報生成部３８は、当該視聴情報に、携帯端末３・１０３の現在位置を示す位置情報を付加してもよい。例えば、携帯端末３・１０３がＧＰＳ受信部（位置情報取得手段）を備えており、当該ＧＰＳ受信部が現在位置を示す位置情報を取得する。そして、視聴情報生成部３８は、視聴情報を生成する際、ＧＰＳ受信部から位置情報を取得し、取得した位置情報を視聴情報に付加すればよい。【０２８５】
一方、放送制御局１の視聴情報処理部１２は、携帯端末３から視聴情報を受けると、当該視聴情報に付加された位置情報に基づいて、各放送地域ごとに視聴情報を視聴情報管理部１３に格納する。そして、副放送データ決定部１４は、視聴情報管理部１３が放送地域ごとに管理する視聴情報に基づいて、放送地域ごとに、どの本放送用チャンネルで放送されている本放送データに対応する副放送データを副放送用チャンネルで放送するかを決定することができる。【０２８６】
また、基地局制御装置６も、同様の処理を行うことで、図１４に示されるように、放送地域ごとに、異なる副放送データをマルチキャスト配信することができる。【０２８７】
（視聴情報の生成、および、副放送データの決定処理の変形例２）
上述したように、放送用アンテナ２の設置箇所によって、受信品質の劣化が生じ易い地域（監視地域）が存在する。そこで、放送制御局１または基地局制御装置６は、監視地域の位置を示す監視地域情報を予め記憶しておいてもよい。また、視聴情報の生成、および、副放送データの決定処理の変形例１と同様に、携帯端末３・１０３の視聴情報生成部３８は、視聴情報に位置情報を付加する。【０２８８】
そして、放送制御局１または基地局制御装置６の視聴情報処理部１２は、携帯端末３・１０３から視聴情報を受けると、当該視聴情報に付加された位置情報および監視地域情報を対比することで、携帯端末３が監視地域内か否かを判断する。監視地域内である場合にのみ、視聴情報処理部１２は、視聴情報を視聴情報管理部１３に格納すればよい。【０２８９】
さらに、副放送データ決定部１４は、本放送用チャンネルごとに、当該チャンネルがユーザによって指定されており、かつ、監視地域に存在する携帯端末数を集計し、集計結果に基づいて、どの本放送用チャンネルに対応する副放送データを副放送するかを決定してもよい。【０２９０】
これにより、監視地域に存在する携帯端末３の多くにおいて、電界強度が要求品質閾値よりも低くなった場合に、切替処理部５４は、指定チャンネルに対応する副放送データが放送されている副放送用チャンネルに切り替えることができる。その結果、ユーザは、著しく映像が乱れた本放送データではなく、本放送データが受信できた場合よりも映像品質がよくないものの、映像の乱れのない副放送データを視聴することができる。【０２９１】
（視聴情報の生成、および、副放送データの決定処理の変形例３）
また、視聴情報生成部３８は、電界強度測定部３４が測定した電界強度、あるいは、誤り検出部３５が検出したＳ／Ｎ比を示す受信品質情報を、視聴情報に付加してもよい。そして、高周波送受信部４１は、受信品質情報が付加された視聴情報を、放送制御局１に送信する。【０２９２】
一方、放送制御局１では、視聴情報処理部１２が、取得した視聴情報と、当該視聴情報に付加された受信品質情報とを対応付けて視聴情報管理部１３に格納する。これにより、副放送データ決定部１４は、視聴情報管理部１３が管理する視聴情報および受信品質情報に基づいて、所定値未満の電界強度（または、所定値以上の誤り率）である視聴者数を、本放送用チャンネルごとに集計することができる。そして、副放送データ決定部１４は、当該視聴者数の上位１〜ｍ番目の本放送用チャンネルで放送されている本放送データに対応する副放送データを副放送すると決定すればよい。すなわち、副放送データ決定部１４は、受信品質が所定値以下である（受信品質が悪い）携帯端末数の上位１〜ｍ番目の本放送用チャンネルに対応する副放送データを副放送すると決定する。【０２９３】
これにより、受信品質が悪いために、本放送データの再生において映像が劣化しているが、副放送チャンネルに切り替えることにより、映像の劣化を防止することができる携帯端末３の数を増やすことができる。【０２９４】
なお、携帯端末３の視聴情報生成部３８は、電界強度測定部３４が測定した電界強度が所定値未満である場合（または、誤り検出部３５が検出した誤り率が所定値以上である場合）にのみ、視聴情報を生成してもよい。この場合、視聴情報処理部１２は、受信品質が所定値以下である（受信品質が悪い）携帯端末３のみから、視聴情報を取得する。そして、副放送データ決定部１４は、視聴情報管理部１３が管理する視聴情報に基づいて、所定値未満の電界強度（または、所定値以上の誤り率）である視聴者数を集計することができる。【０２９５】
（データ変換部におけるデータ変換処理の変形例）
上記実施形態１・３において、放送制御局１のデータ変換部１５は、本放送データを、基本データおよび補間データに分割してもよい。ここで、基本データおよび補間データを合成することで本放送データが得られる。また、基本データは、本放送データよりも解像度およびフレームレートが低いデータであり、当該基本データのみでも再生可能である。【０２９６】
そして、送信制御部１７は、基本データを副放送データとして放送するとともに、当該副放送データに対応する本放送用チャンネルにおいて、当該副放送データに対応する上記補間データを放送する。【０２９７】
図２２は、本変形例における、送信制御部１７の送信処理例を示す図である。図２２に示されるように、データ変換部１５は、副放送データ決定部１４が副放送すると決定した本放送データＳＤｘについて、基本データＳＤｘＢと、補間データＳＤｘＥとに分割する。そして、送信制御部１７は、基本データＳＤｘＢを副放送用チャンネルで放送するとともに、当該基本データＳＤｘＢに対応する補間データＳＤｘＥを本放送用チャンネルで放送する。【０２９８】
さらに、携帯端末３・２０３は、基本データＳＤｘＢおよび補間データＳＤｘＥを合成する合成部を備えていればよい。【０２９９】
この場合、携帯端末３・２０３の切替処理部５４は、品質判定結果が「１」であり、かつ、副放送有無情報が「１」である場合に、割り当て情報抽出部５３から受けた副放送チャンネル情報が示す副放送用チャンネルの副放送データ（基本データ）から得られる映像データおよび音声データを表示部４４およびスピーカ４５に出力させるように、デコード部３６を制御する。【０３００】
一方、これ以外の場合、切替処理部５４は、割り当て情報抽出部５３から受けた副放送チャンネル情報が示す副放送用チャンネルの副放送データと、指定チャンネルの本放送データとを合成部に合成させる。そして、切替処理部５４は、当該合成データから得られる映像データおよび音声データを表示部４４およびスピーカ４５に出力させるように、デコード部３６および合成部を制御すればよい。【０３０１】
（その他）
データ変換部１５は、図２３に示されるように、本放送データ内に予め設定されたリプレイデータ（番組内の重要場面に対応するデータ）を繰り返した副放送データ、リプレイデータを所定間隔で挿入された副放送データを生成してもよい。【０３０２】
また、コンテンツサーバ５は、本放送データと、当該本放送データに対応する副放送データを予め蓄積しておいてもよい。この場合、コンテンツデータ取得部１１が本放送データおよび副放送データをコンテンツサーバ５から取得し、データ変換部１５は、副放送データ決定部１４に決定された副放送データのみを後段に出力すればよい。【０３０３】
また、副放送データ決定部１４は、予め定められた本放送用チャンネルの本放送データに対応する副放送データを、副放送すると決定してもよい。そして、副放送データ決定部１４は、残りの副放送用チャンネルで、視聴者数の多い本放送用チャンネルの本放送データに対応する副放送データを、副放送すると決定すればよい。例えば、予め視聴率が高いと予想される番組について、当該番組が放送される本放送用チャンネルおよび放送時間において、当該本放送用チャンネルの本放送データに対応する副放送データを副放送するように、副放送データ決定部１４を設定してもよい。【０３０４】
また、本願では図示していないが、受信した本放送データ（第１コンテンツデータ）もしくは副放送データ（第２コンテンツデータ）をデコード部３６・１３６の入力前もしくは出力後において、図示しない記憶部に蓄積してもよい。【０３０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。【０３０６】
最後に、携帯端末３・１０３・２０３、放送制御局１・１０１または基地局制御装置６の各ブロック、ハードウェアロジックによって構成してもよいし、次のようにＣＰＵを用いてソフトウェアによって実現してもよい。【０３０７】
すなわち、携帯端末３・１０３・２０３、放送制御局１・１０１または基地局制御装置６は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯端末３・１０３・２０３、放送制御局１・１０１、基地局制御装置６の制御プログラムのプログラムコード（実行形式プログラム、中間コードプログラム、ソースプログラム）をコンピュータで読み取り可能に記録した記録媒体を、上記携帯端末３・１０３・２０３、放送制御局１・１０１または基地局制御装置６に供給し、そのコンピュータ（またはＣＰＵやＭＰＵ）が記録媒体に記録されているプログラムコードを読み出し実行することによっても、達成可能である。【０３０８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０３０９】
また、携帯端末３・１０３・２０３、放送制御局１・１０１または基地局制御装置６を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用の可能性】
【０３１０】
本発明は、例えば、地上波デジタルテレビや、ＦＭラジオなどの放送システムに適用できる。
【図１】
0004455652.tif 000002
【図２】
0004455652.tif 000003
【図３】
0004455652.tif 000004
【図４】
0004455652.tif 000005
【図５】
0004455652.tif 000006
【図６】
0004455652.tif 000007
【図７】
0004455652.tif 000008
【図８】
0004455652.tif 000009
【図９】
0004455652.tif 000010
【図１０】
0004455652.tif 000011
【図１１】
0004455652.tif 000012
【図１２】
0004455652.tif 000013
【図１３】
0004455652.tif 000014
【図１４】
0004455652.tif 000015
【図１５】
0004455652.tif 000016
【図１６】
0004455652.tif 000017
【図１７】
0004455652.tif 000018
【図１８】
0004455652.tif 000019
【図１９】
0004455652.tif 000020
【図２０】
0004455652.tif 000021
【図２１】
0004455652.tif 000022
【図２２】
0004455652.tif 000023
【図２３】
0004455652.tif 000024